(57)【要約】【課題】複数の動作部材を用いた装飾部の見栄えが良く、部品の耐久性を高めつつ部品コストを抑えた遊技機を提供する。【解決手段】左右の動作部材２８２，２８３は、最大移動状態において右側動作部材２３３のみが取付ベース２３１の一部に当接し、左側動作部材２３２は、右側動作部材２３３に当接して停止する。出力用プーリ２５２の回動力に応じた引張力は最大移動状態となると左側動作部材２３２に伝達されない。左側動作部材２３２は、プーリ付勢バネ２３７のバネ力により右側動作部材２３３に当接する。左右の動作部材２３２，２３３の当接部分として、遊技者から視認され得る中央装飾部２８１の一部を使用しても、その部位が破損する可能性が低減され、見栄えの向上、移動速度の高速化、脱調の防止および衝突力抑制機能を低コストで付加することができる。【選択図】  図１０
2014050435.tif 000002
【特許請求の範囲】
【請求項１】
始動条件が成立した場合に変動が開始される識別情報が所定の態様で停止した場合に遊技者に遊技価値が付与される遊技機において、
所定の対象物を模した装飾体を構成する複数の動作部材と、
該複数の動作部材の一部が接触して前記所定の対象物を模した状態に対応した第１位置と、該第１位置に対して前記複数の動作部材が離間した第２位置との間を動作可能に前記複数の動作部材を支持する支持手段と、
前記複数の動作部材が動作するための駆動力を発生する駆動手段と、
前記駆動手段の駆動力によって回動する回動部材と、
該回動部材に内周面側が掛けられて前記駆動手段の駆動力によって回動する無端状の駆動伝達部材と、
該回動部材に対して離間した位置に配置され、前記駆動伝達部材が掛けられる支持部材とを備え、
前記複数の動作部材は、
前記回動部材に対して前記駆動伝達部材が連続する方向に沿った一方側における前記支持部材に達する手前部分に相当する部位であって、前記第１位置において前記回動部材に対して前記一方側における距離が最小となる第１伝達部にて前記駆動伝達部材に接続される第１動作部材と、
前記回動部材に対して前記一方側とは逆方となる他方側における前記支持部材に達する手前部分に相当する部位であって、前記第１位置において前記回動部材に対して前記他方側における距離が最大となる第２伝達部にて前記駆動伝達部材に接続される第２動作部材とを有し、
前記第１動作部材は、前記第２動作部材とは別に設けられる部材の停止面に当接することで前記第１位置に停止し、
前記第２動作部材は、前記第１動作部材の一部に当接して前記第１位置に停止するものであり、
前記駆動伝達部材における前記第１伝達部と前記第２伝達部との間の区間であって少なくとも前記支持部材が配置される側の区間に対して前記駆動伝達部材が伸張される方向側への付勢力を発生させる付勢力発生手段が設けられていることを特徴とする遊技機。
【請求項２】
前記第２動作部材は、前記第１位置に配置された場合に前記第１動作部材の一部に当接する当接部を、遊技者から視認可能な装飾部の一部に有していることを特徴とする請求項１記載の遊技機。
【発明の詳細な説明】
【技術分野】
【０００１】
本発明は、スロットマシン等の遊技機に関するものである。
【背景技術】
【０００２】
遊技機の一種として、例えば、スロットマシンにおいては、始動操作が行われることにより入賞する役の抽選等、各種の抽選が制御装置により行われ、抽選結果に応じた停止図柄が停止する。そして、この停止図柄に応じた特典が遊技者に付与されるため、遊技者は高価値の抽選結果を期待して遊技を行うこととなる。始動操作が行われてから図柄が停止するまでの間には、抽選結果に応じた色でリールの周りが発光したり、液晶表示装置に停止図柄の内容に対応した絵柄を表示したりして遊技者に抽選結果を期待させる演出が行われる。この演出の一部としてモータ等により動作する動作部材を遊技者から視認可能な位置に配置して、この動作部材の動作を演出に付加する機種が知られており、大型の動作部材として左右両側等の複数の方向側から扉状の部材を近づけて液晶表示装置の前側を閉鎖する演出を素早く実行することで遊技者を驚かせ、その後の結果に対する期待感を高揚させる演出が行われている（例えば特許文献１参照）。
【先行技術文献】
【特許文献】
【０００３】
【特許文献１】特開２００８−１７３１６６号公報
【発明の概要】
【発明が解決しようとする課題】
【０００４】
しかしながら、動作部材が大型化され、又はその動作範囲が広く設定される等した場合には、性能の高い動力発生機が必要になって部品コストが増大するという問題点があった。また、複数の動作部材が近づいて一端側が近接して一体化した演出を実行する場合、それらの近接部分における隙間が大きいと見栄えの悪いものとなる一方、その近接部分に隙間が無く接触する構成とされていると高速移動をした動作部材によって合わせ面が損傷する可能性があるという問題点があった。
【０００５】
本発明は、上記例示した事情等に鑑みてなされたものであり、複数の動作部材を用いた装飾部の見栄えが良く、部品の耐久性を高めつつ部品コストを抑えた遊技機を提供することを目的とするものである。
【課題を解決するための手段】
【０００６】
上記課題を解決すべく、請求項１記載の発明は、
始動条件が成立した場合に変動が開始される識別情報が所定の態様で停止した場合に遊技者に遊技価値が付与される遊技機において、
所定の対象物を模した装飾体を構成する複数の動作部材と、
該複数の動作部材の一部が接触して前記所定の対象物を模した状態に対応した第１位置と、該第１位置に対して前記複数の動作部材が離間した第２位置との間を動作可能に前記複数の動作部材を支持する支持手段と、
前記複数の動作部材が動作するための駆動力を発生する駆動手段と、
前記駆動手段の駆動力によって回動する回動部材と、
該回動部材に内周面側が掛けられて前記駆動手段の駆動力によって回動する無端状の駆動伝達部材と、
該回動部材に対して離間した位置に配置され、前記駆動伝達部材が掛けられる支持部材とを備え、
前記複数の動作部材は、
前記回動部材に対して前記駆動伝達部材が連続する方向に沿った一方側における前記支持部材に達する手前部分に相当する部位であって、前記第１位置において前記回動部材に対して前記一方側における距離が最小となる第１伝達部にて前記駆動伝達部材に接続される第１動作部材と、
前記回動部材に対して前記一方側とは逆方となる他方側における前記支持部材に達する手前部分に相当する部位であって、前記第１位置において前記回動部材に対して前記他方側における距離が最大となる第２伝達部にて前記駆動伝達部材に接続される第２動作部材とを有し、
前記第１動作部材は、前記第２動作部材とは別に設けられる部材の停止面に当接することで前記第１位置に停止し、
前記第２動作部材は、前記第１動作部材の一部に当接して前記第１位置に停止するものであり、
前記駆動伝達部材における前記第１伝達部と前記第２伝達部との間の区間であって少なくとも前記支持部材が配置される側の区間に対して前記駆動伝達部材が伸張される方向側への付勢力を発生させる付勢力発生手段が設けられていることを特徴とする。
【発明の効果】
【０００７】
本発明によれば、複数の動作部材を用いた装飾部の見栄えが良く、部品の耐久性を高めつつ部品コストを抑えた遊技機を提供することができる。
【図面の簡単な説明】
【０００８】
【図１】一実施の形態におけるスロットマシンの正面図である。
【図２】前面扉を閉じた状態におけるスロットマシンの斜視図である。
【図３】前面扉を開いた状態におけるスロットマシンの斜視図である。
【図４】前面扉を取り除いた状態における筐体の正面図である。
【図５】上パネル部を透視した正面図であり、（ａ）は通常状態を示し、（ｂ）は右側装飾体の最大移動状態を示し、（ｃ）は中央装飾体の最大移動状態を示している。
【図６】前側から見た上側表示ユニットの斜視図である。
【図７】前側から見た上側表示ユニットの分解斜視図である。
【図８】支持用プーリの支持構造を示す分解斜視図である。
【図９】中央装飾体の最大移動状態を示した図であり、（ａ）はベースユニットの正面図、（ｂ）はベースユニットの背面図である。
【図１０】（ａ）は中央装飾体の通常状態におけるベースユニットの正面図、（ｂ）は中央装飾体の移動途中におけるベースユニットの正面図である。
【図１１】前側から見た下側ユニットの分解斜視図である。
【図１２】図７のＡ−Ａ線における下側ユニットの横断面図である。
【図１３】下側ユニットの平面図である。
【図１４】下側ユニットによる中央装飾体への光の照射を示す説明図である。
【図１５】前側から見た右側ユニットの分解斜視図である。
【図１６】後側から見た右側ユニットの分解斜視図である。
【図１７】前側から見た右側装飾体の動作を示した図である。
【図１８】右側装飾体の動作を示す平面図である。
【図１９】右上側から見た右側装飾体の動作を示す斜視図である。
【図２０】斜め前側から見た右側装飾体の動作を示す斜視図である。
【図２１】（ａ）は図１８のＢ−Ｂ線における断面図であり、（ｂ）は図１８のＣ−Ｃ線における断面図である。
【発明を実施するための形態】
【０００９】
以下、遊技機の一種であるスロットマシンに本発明を適用した場合の一実施の形態を、図面に基づいて詳細に説明する。図１はスロットマシン１０の正面図であり、図２は前面扉２１を閉じた状態におけるスロットマシン１０の斜視図であり、図３は前面扉２１を開いた状態におけるスロットマシン１０の斜視図であり、図４は前面扉２１を取り除いた状態における筐体１１の正面図である。
【００１０】
図３に示すように、スロットマシン１０は、筐体１１を備えている。筐体１１は、複数の板部１２〜１６を組合せることによりスロットマシン１０前方に向けて開放された四角箱状に形成されている。詳細には、底板部１２、背板部１３、左側板部１４、右側板部１５、及び天板部１６を備えており、隣接する各板部１２〜１６が接着等の固定手段によって固定されていることで、筐体１１が形成されている。当該筐体１１は、スロットマシン１０を遊技ホールに設置する際に、いわゆる島設備に対して釘を打ち付ける等して取り付けられる。
【００１１】
筐体１１の前面側には、前面扉２１が取り付けられている。前面扉２１はその左側部を回動軸として、筐体１１の内部空間を開閉可能とするように筐体１１に支持されている。詳細には、筐体１１の左側板部１４には筐体側支持部材１７が設けられているとともに、前面扉２１の左側部には扉側支持部材２２が設けられている。これら各支持部材１７，２２はともに金属製であり、筐体側支持部材１７には上下一対の支軸部１７ａが一体形成されているとともに、扉側支持部材２２には各支軸部１７ａに１対１で対応させて支持孔部２２ａが形成されている。各支持孔部２２ａが対応する各支軸部１７ａに挿通されて下側を支持されることにより、筐体１１に前面扉２１が開閉可能に支持されている。
【００１２】
なお、扉側支持部材２２に支軸部が形成され、支持孔部が筐体側支持部材１７に形成される構成としてもよく、この場合、各支軸部が対応する各支持孔部に挿通されて下側を支持される。
【００１３】
筐体１１に対して前面扉２１が閉鎖した状態では、当該前面扉２１の背面が筐体１１の前面開口部の周縁全体に対して前方から当接することとなる。したがって、前面扉２１が閉鎖状態である場合には、筐体１１の前面開口部の全体が前面扉２１により覆われた状態となる。前面扉２１の右側部、すなわち開閉先端側には施錠装置２３が設けられており、筐体１１の右側板部１５には、図４に示すように、金属製の施錠受け部材１８が設けられている。前面扉２１を閉鎖状態とした場合には施錠装置２３が施錠受け部材１８に対して施錠状態となり、前面扉２１の開放操作が阻止される。
【００１４】
筐体１１内には、図３及び図４に示すように、複数の電気機器が搭載されている。具体的には、筐体１１の底板部１２上には電源装置３１とホッパ装置３２とが左右に並設されている。電源装置３１は、遊技ホールの電源に接続され、当該電源から供給される電力に基づいて、ホッパ装置３２や、後述する各種機器において必要な動作電力を生成して供給する。また、電源装置３１には、電源投入時や電源遮断時に操作される電源スイッチ、スロットマシン１０の各種状態をリセットするためのリセットボタン、及びメダルの付与率（例えば内部抽選における当選確率）に変化を与える設定状態を「設定１」（付与率が最も低い状態）から「設定６」（付与率が最も高い状態）までの６段階に変更するために操作される設定キー挿入孔が設けられている。ホッパ装置３２は、上方に開放された空間内にメダルを貯留する貯留タンク３２ａと、当該貯留タンク３２ａに貯留されたメダルを払い出す払出装置３２ｂとを備えており、スロットマシン１０に投入されたメダルの貯留が行われるとともに遊技の結果に応じた遊技者へのメダルの払い出しが実行される。
【００１５】
筐体１１内において、電源装置３１及びホッパ装置３２の上方にはリールユニット１０１が設けられている。リールユニット１０１は、複数の周回体として、円筒状に形成された左リール１０２Ｌ、中リール１０２Ｍ、及び右リール１０２Ｒを備えている。各リール１０２Ｌ〜１０２Ｒは、その中心軸線が当該リール１０２Ｌ〜１０２Ｒの回転軸線となるように回転可能に支持されている。各リール１０２Ｌ〜１０２Ｒの回転軸線は略水平方向に延びる同一軸線上に配設されている。これら各リール１０２Ｌ〜１０２Ｒは、それぞれがステッピングモータよりなるリール用駆動モータに連結されており、各リール用駆動モータの駆動により各リール１０２Ｌ〜１０２Ｒが個別に、即ちそれぞれ独立して回転駆動し得る構成となっている。
【００１６】
各リール１０２Ｌ〜１０２Ｒの外周面には、図３に示すように、帯状のベルト１０３Ｌ，１０３Ｍ，１０３Ｒが巻かれている。帯状のベルト１０３Ｌ〜１０３Ｒの周面には、それぞれ複数種の図柄が付されており（例えば２１個ずつ）、各リール用駆動モータが駆動状態となり各リール１０２Ｌ〜１０２Ｒが回転することにより、各図柄の位置が連続的に変化することとなる。
【００１７】
これら各リール１０２Ｌ〜１０２Ｒに付された図柄は、図１に示すように、前面扉２１の上半部に設けられた透明樹脂製の窓パネル部１３１を通じてスロットマシン１０前方から視認可能となっている。この場合、前面扉２１の背面部において窓パネル部１３１と重なる領域には、図３に示すように、下側部分に横長矩形状の表示窓部２７を形成し、その上下左右を囲うように表示ユニット１１１が搭載されており、リールユニット１０１においてスロットマシン１０前方から視認可能な範囲が図１の下側の破線で囲む表示窓部２７の範囲内に制限されている。つまり、窓パネル部１３１と表示ユニット１１１とを利用して表示窓部２７が区画形成されている。この表示窓部２７が形成された範囲は、全体を視認可能な図柄の数が各リール１０２Ｌ〜１０２Ｒについて縦方向に３個ずつとなるように設定されている。各リール１０２Ｌ〜１０２Ｒが正回転した場合には、表示窓部２７を通じて図柄が上から下へ向かって移動しているかのように映し出される。また、各リール１０２Ｌ〜１０２Ｒがすべて停止している状態では、縦方向に３個と横方向に３個の合計９個の図柄が遊技者に視認可能な状態となる。
【００１８】
表示窓部２７から視認可能な９個の図柄が配置される範囲には、図１に示すように、所定数の組合せラインＬ１〜Ｌ５が設定されている。具体的には、横方向へ平行に３本、斜め方向へたすき掛けに２本、合計５本の組合せラインＬ１〜Ｌ５が設定されている。これら組合せラインＬ１〜Ｌ５は、メダル及び仮想メダルの賭け数に応じた数だけ有効化され、有効化された組合せライン上に内部抽選にて当選となった役に対応した図柄の組合せが停止表示されることにより、遊技者に特典が付与される。この組合せラインの数は６以上としてもよく、５未満としてもよく、遊技の状態などの所定条件に応じて最大組合せライン数を変更するようにしてもよい。
【００１９】
各リール１０２Ｌ〜１０２Ｒには、小役図柄と、再遊技図柄と、特別図柄とが付されている。小役図柄としては、例えば「スイカ」図柄と、「ベル」図柄と、「チェリー」図柄とが存在しており、いずれかの有効ライン上に「スイカ」図柄が左・中・右と揃った場合には１５枚のメダルが払い出され、いずれかの有効ライン上に「ベル」図柄が左・中・右と揃った場合には８枚のメダルが払い出され、左リール１０２Ｌ上の「チェリー」図柄が有効ライン上に停止した場合には２枚のメダルが払い出される。また、いずれかの有効ライン上に再遊技図柄が左・中・右と揃った場合にはメダル払出は行われないが、新たな賭け操作を要することなく新たな遊技を開始させることが可能となる。
【００２０】
特別図柄としては、例えば「７」図柄と「ＢＡＲ」図柄とが存在しており、いずれかの有効ライン上に「７」図柄が左・中・右と揃った場合には第１特別遊技状態としてビッグボーナス状態に移行し、いずれかの有効ライン上に「ＢＡＲ」図柄が左・中・右と揃った場合には第２特別遊技状態としてレギュラーボーナス状態に移行する。ビッグボーナス状態及びレギュラーボーナス状態は、通常遊技状態よりも各遊技回におけるメダル及び仮想メダルの払出率が向上する状態であり、具体的には内部抽選で当選となった場合には各リール１０２Ｌ〜１０２Ｒの停止タイミングに関係なくいずれかの有効ラインＬ１〜Ｌ５上に停止表示される「ベル」役の入賞が通常遊技状態よりも高頻度で発生する状態である。そして、ビッグボーナス状態は、当該状態において遊技者に払い出されたメダル及び仮想メダルの総数が第１所定数（例えば３５０枚）以上となった場合に終了される状態であり、レギュラーボーナス状態は、当該状態において遊技者に払い出されたメダル及び仮想メダルの総数が第１所定数よりも少ない第２所定数（例えば１５０枚）以上となった場合に終了される状態である。
【００２１】
窓パネル部１３１における表示窓部２７より上側は、図１に示すように、表示ユニット１１１に設けられた表示装置１１２の表示面１１２ａをスロットマシン１０前方から視認可能とする領域となっている。つまり、窓パネル部１３１は、表示面１１２ａを視認可能
とする上パネル部１３１ａと、各リール１０２Ｌ〜１０２Ｒの図柄を視認可能とする下パネル部１３１ｂとを有している。また、窓パネル部１３１は、図１に示すように、これら上パネル部１３１ａと下パネル部１３１ｂとを上下に区画するように区画部１３４が設けられている。
【００２２】
前面扉２１において窓パネル部１３１の周囲には、演出用発光部１３３と、報知用発光部１３２とが設けられている。演出用発光部１３３では遊技の状況に応じた光の演出が行われ、報知用発光部１３２では異常の発生に際してそれに応じた発光制御が行われる。
【００２３】
前面扉２１において窓パネル部１３１の下方領域は、図２に示すように、当該窓パネル部１３１よりもスロットマシン１０前方に膨出させて操作領域２４が形成されており、当該操作領域２４には各種操作部が設けられている。具体的には、操作領域２４前面の左側には、図１に示すように、各リール１０２Ｌ〜１０２Ｒの回転を開始させるために操作されるスタートレバー１５１が設けられている。メダル及び仮想メダルの少なくとも一方が賭けられている状況でスタートレバー１５１が操作されることにより、各リール１０２Ｌ〜１０２Ｒが一斉に回転を開始する。
【００２４】
スタートレバー１５１の右側には、図２に示すように、回転している各リール１０２Ｌ〜１０２Ｒを個別に停止させるために操作されるストップボタン１５３Ｌ，１５３Ｍ，１５３Ｒが設けられている。各ストップボタン１５３Ｌ〜１５３Ｒは正面視において停止対象となるリール１０２Ｌ〜１０２Ｒの直下にそれぞれ配置されている。各ストップボタン１５３Ｌ〜１５３Ｒは、左リール１０２Ｌが回転を開始してから所定時間が経過すると停止操作が有効化される。
【００２５】
操作領域２４上面の右側には、図２に示すように、メダルを投入するためのメダル投入口１５５ａが形成された投入用部材１５５が設けられている。前面扉２１の背面部には、図３に示すようにセレクタ１１３が設けられており、メダル投入口１５５ａに投入されたメダルは当該セレクタ１１３によって、投入可能時であればホッパ装置３２へ導かれ、投入不可時であれば前面扉２１の前面下部に設けられたメダル排出口２５ａからメダル受け皿２５へと導かれる。
【００２６】
操作領域２４上面の左側には、クレジットされた仮想メダルを投入するために操作されるクレジット投入ボタン１５２が設けられている。クレジット投入ボタン１５２が操作されることにより、クレジットされた仮想メダルの数及び最大賭け数の範囲で仮想メダルが投入される。
【００２７】
操作領域２４前面においてスタートレバー１５１の下方には、精算ボタン１５６が設けられている。精算ボタン１５６が操作されることにより、ホッパ装置３２が駆動制御されて、クレジットされている仮想メダルが実際のメダルとしてメダル受け皿２５に払い出される。当該メダル受け皿２５は、前面扉２１の下端においてスロットマシン１０前方に突出させて形成されており、上方に開放されたメダルの貯留領域を有している。
【００２８】
操作領域２４とメダル受け皿２５とは縦方向に離間されており、これらの間には装飾パネル部２６が設けられている。装飾パネル部２６には、スロットマシン１０の機種に対応したキャラクタや模様などの装飾が付されている。
【００２９】
操作領域２４の左右両側とメダル排出口２５ａの左右両側には、図１に示すように、遊技者に遊技状態等を音声により報知するスピーカが内蔵された左右一対の音声出力部１５７が上下に離間して設けられ、合計４箇所から音声が出力可能とされている。
【００３０】
操作領域２４の上面においてメダル投入口１５５ａの左方には、表示装置１１２における演出の内容を切り替えるべく操作される操作用ボタン１５４が設けられている。当該操作用ボタン１５４の操作による演出内容の切り替え態様としては、１ゲームの途中で所定の表示演出が表示装置１１２にて実行された場合に、操作用ボタン１５４の操作に伴い表示装置１１２における表示演出が特定の演出に進行する態様や所定の画像が表示される態様が挙げられる。また、他の態様としては、１ゲームの表示演出として、選択される演出内容が相違する複数のモードが存在している状況下において、操作用ボタン１５４の操作に伴いモードが切り替えられる態様が挙げられる。また、操作用ボタン１５４の操作が演出として実行されるのではなく、例えば操作用ボタン１５４の操作に伴い表示装置１１２にて本スロットマシン１０の遊技内容の説明がなされる構成や、本スロットマシン１０の遊技履歴の内容が表示される構成が挙げられる。
【００３１】
上記構成のスロットマシン１０の遊技の流れについて簡単に説明する。
【００３２】
まずメダル投入口１５５ａへのメダルの投入操作及びクレジット投入ボタン１５２の押圧操作の少なくとも一方に基づいて、メダル及び仮想メダルの少なくとも一方が投入される。この場合、１枚のメダル又は１枚の仮想メダルが投入された場合には、中央ラインＬ１が有効ラインに設定され、メダル及び仮想メダルの投入総数が２枚となった場合には、中央ラインＬ１、上ラインＬ２及び下ラインＬ３が有効ラインに設定され、メダル及び仮想メダルの投入総数が３枚となった場合には、中央ラインＬ１、上ラインＬ２、下ラインＬ３及び一対の斜めラインＬ４，Ｌ５が有効ラインに設定される。
【００３３】
なお、メダル及び仮想メダルの投入総数が既に３枚となっている状況でさらにメダル投入口１５５ａへのメダルの投入が行われると、その投入されたメダルは仮想メダルとしてクレジットされる。
【００３４】
メダル及び仮想メダルの投入総数が所定数（例えば３枚）である状況でスタートレバー１５１が押下げ操作されることにより、内部抽選が実行されるとともに各リール１０２Ｌ〜１０２Ｒの回転が開始される。その後に、各ストップボタン１５３Ｌ〜１５３Ｒが順次、押圧操作されることにより、それぞれ対応するリール１０２Ｌ〜１０２Ｒの回転が順次停止される。この場合に、内部抽選において当選となっている役に対応した図柄に対して有効ライン上への引き込み制御が実行される。具体的には、所定のストップボタンが押圧操作されたタイミングでは、対象となるリールについて当選役に対応した図柄が有効ライン上に存在していない場合であっても、当該図柄が有効ラインに対して上流側に存在する所定個数（例えば４個）の図柄の中に含まれているのであれば、有効ライン上に引き込んで停止させる構成となっている。当該構成において、「ベル」図柄や再遊技図柄については各リール１０２Ｌ〜１０２Ｒにおける配置間隔が、上記引き込み制御の範囲内となるように設定されているのに対して、「スイカ」図柄、「チェリー」図柄、「７」図柄及び「ＢＡＲ」図柄については各リール１０２Ｌ〜１０２Ｒにおける配置間隔が、上記引き込み制御の範囲外となり得るように設定されている。
【００３５】
全リール１０２Ｌ〜１０２Ｒが停止した場合には、いずれかの有効ラインＬ１〜Ｌ５上に、内部抽選において当選となった役の入賞が成立しているか否かの入賞判定が行われ、入賞が成立していると判定された場合には、その入賞に対応した特典が遊技者に付与される。例えば、所定の小役の入賞が成立している場合には、その小役に対応した数のメダルが遊技者に払い出されるように制御される。この場合、クレジットされた仮想メダルの数が最大数（例えば５０枚）未満である場合には、当該最大数の範囲内において仮想メダルとしてクレジットされる。一方、最大数に達している場合には、ホッパ装置３２が駆動制御されて、実際のメダルとして遊技者に払い出される。また、再遊技の入賞が成立している場合には、再遊技が遊技者に付与されるように制御され、ビッグボーナスの入賞が成立
している場合には遊技状態がビッグボーナス状態に移行するように制御され、レギュラーボーナスの入賞が成立している場合には遊技状態がレギュラーボーナス状態に移行するように制御される。
【００３６】
上記内部抽選及び各種制御は、主制御装置４１により実行される。主制御装置４１は、図４に示すように、筐体１１内においてリールユニット１０１の上方に設けられている。主制御装置４１は、上記内部抽選及び各種制御を実行するためのＣＰＵ４３、ＲＯＭ４４及びＲＡＭ４５が一方の板面に搭載された主制御基板４２と、当該主制御基板４２を収容する基板ボックス４６と、を備えている。基板ボックス４６は一対のケース体４７（一方のケース体については図示略）を備えており、主制御基板４２を板厚の方向に挟むようにしてこれら一対のケース体４７が組み合わされていることにより、主制御基板４２が基板ボックス４６内に収容されている。各ケース体４７は、基板ボックス４６の外部からこれらケース体４７を通じて主制御基板４２を目視確認できるように透明（又は無色透明）な樹脂により形成されている。また、各ケース体４７の縁部には、これらケース体４７を結合させる結合構造４８が複数設けられており、これら結合構造４８は結合の解除に際して一部の破壊を要する構成となっている。したがって、基板ボックス４６の内部空間が不正に開放された場合には、結合構造４８に破壊箇所が残存することにより、当該不正開放の痕跡が残ることとなる。
【００３７】
なお、基板ボックス４６に開放の痕跡を残すための構成としては、引き剥がしに際して粘着層が接着対象に残ることで剥がされたことの痕跡を残す封印シールを複数のケース体間の境界を跨ぐようにして貼り付ける構成や、基板ボックスを構成する複数のケース体間の境界に接着剤を塗布する構成としても良いし、これら構成と上記結合構造４８とを組み合わせても良い。
【００３８】
主制御装置４１は、筐体１１の背板部１３に固定されている。具体的には、主制御装置４１は、略長方形状をなす主制御基板４２の形状に対応させて、略長方形状をなす表面及び裏面を有し且つ略直方体状に形成されている。また、基板ボックス４６において当該表面を生じさせる壁部は、主制御基板４２においてＣＰＵ４３、ＲＯＭ４４及びＲＡＭ４５が搭載された素子搭載面と対向している。
【００３９】
主制御装置４１は、支持ユニット５１を介して背板部１３に固定されている。支持ユニット５１は、図示による詳細な説明は省略するが、背板部１３に固定された支持台座５２と、当該支持台座５２に対して下端部を回動軸として前後に回動可能に支持された支持部材５３と、を備えている。支持台座５２には、左右一対の支持フック５４が一体形成されており、支持部材５３を支持台座５２に前方から重ねた状態では当該支持部材５３が支持台座５２に固定され、当該支持部材５３の前方への変位が規制される。支持フック５４により固定された状態の解除操作は、前面扉２１を開放状態とした場合に筐体１１の前面開口部側から当該支持フック５４を弾性変形させることにより行うことが可能であり、この解除操作に際しては部材の破壊を要しない。
【００４０】
主制御装置４１は、その下側領域が支持部材５３に対して上側から挿入され、支持部材５３に固定されている。当該固定は、その解除に際して所定の部材の破壊を要し、固定解除の痕跡が残る構成となっているが、ネジなどを利用することにより、固定の解除に際して破壊を要しない構成としてもよい。支持部材５３に主制御装置４１が固定された構成において、基板ボックス４６の表面部であって主制御基板４２の素子搭載面と対向する領域は支持部材５３により覆われていない。したがって、主制御装置４１が支持部材５３に固定された状態であっても、基板ボックス４６の外部からの素子搭載面の視認性は確保されている。主制御装置４１が一体化された支持部材５３が支持台座５２に重ね合わせられ、主制御装置４１が初期位置に配置されている状態では、主制御装置４１の裏面は筐体１１
の背板部１３に対向することとなり、主制御装置４１は起立した状態となる。
【００４１】
上記のように主制御装置４１が背板部１３に固定されていることにより、主制御装置４１が筐体１１の前面開口部から遠い位置に存在することとなり、当該前面開口部から不正用治具を挿入して主制御装置４１に不正を施そうとしてもそれが行いづらくなる。また、主制御基板４２の素子搭載面がスロットマシン１０前方を向くことにより、前面扉２１を開放状態とすれば素子搭載面を容易に目視確認することが可能となり、不正有無の確認の容易化が図られる。
【００４２】
一方、主制御装置４１が一体化された支持部材５３が支持台座５２から離間されるように前方に回動された場合には、主制御装置４１の上端を筐体１１の前面開口部側に引き出すことが可能となる。この状態では、主制御装置４１の上端の位置が、各リール１０２Ｌ〜１０２Ｒの前後方向の中心よりも前方であって筐体１１の前面開口部よりも後方の位置となるように、当該主制御装置４１を前方に引き出すことが可能となる。これにより、主制御装置４１をより近い位置にて目視確認することが可能となる。
【００４３】
次に、上側表示ユニット２００の全体的な構成について、図５から図７を主に参照して説明し、その後に各部の詳細について個別に説明する。図５は、上パネル部１３１ａを透視した状態を示す正面図であり、図５（ａ）は通常状態を示し、図５（ｂ）は右側装飾体２０１の最大移動状態を示し、図５（ｃ）は中央装飾体２０２の最大移動状態を示している。また、図６は、前側から見た上側表示ユニット２００の斜視図、図７は、前側から見た上側表示ユニット２００の分解斜視図である。
【００４４】
上側表示ユニット２００は、図３に示すように、表示窓部２７の上側に設けられ、表示窓部２７の左右両側および下側部分を形成する部材と共に表示ユニット１１１の一部を構成する部材である。上側表示ユニット２００は、表示装置１１２の前側に設けられ、その背面側に表示装置１１２と、表示装置１１２の表示内容を制御する表示制御装置１１４とが重なるようにして取り付けられている。図１に示すように、上パネル部１３１ａの中央部分には、表示装置１１２の表示面１１２ａが正面側から視認可能に配置され、その表示面１１２ａの前側に上側表示ユニット２００が遊技者から視認可能に設けられて表示装置１１２の表示面１１２ａで行われる平面的な演出に対して、その前側に立体的な動作部材による演出を付加している。
【００４５】
上側表示ユニット２００は、図５（ａ）に示すように、上パネル部１３１ａを透視した状態において中央部に横長矩形状の表示用開口部２１１が設けられ、この表示用開口部２１１を通じて表示装置１１２の表示面１１２ａが遊技者から視認可能とされる。表示用開口部２１１の左側には、表示面１１２ａ側に相当する中央側を向いた略円形状で周方向に複数分割された表示部を有する左側装飾部材２０３が設けられ、各表示部に対応して内蔵された発光手段としての発光ダイオード（ＬＥＤ）によって各表示部に個別に形成された絵柄が発光可能とされている。
【００４６】
表示用開口部２１１の右側には、図５（ａ）に示すように、動物の顔を模した縦長の右側装飾体２０１が正面視で表示用開口部２１１の中央側に僅かに傾いて設けられている。この右側装飾体２０１は、遊技の状況に応じて動作可能に設けられ、図５（ａ）に示す通常状態から図５（ｂ）に示す最大移動状態まで動作可能とされている。右側装飾体２０１は、最大移動状態においては、表示用開口部２１１の中央側に相当する表示装置１１２の表示面１１２ａの前側に重なるように移動し、且つ、その形態として下側部分が上側部分に比べて中央側に大きく突出するように動作する。
【００４７】
表示用開口部２１１の中央部分には、図５（ｃ）に示すように、正面視略円形状の中央
装飾体２０２が表示装置１１２の表示面１１２ａの前側に配置可能とされている。この中央装飾体２０２は、通常状態においては、図５（ａ）に示すように、左側装飾部材２０３と右側装飾体２０１の裏側に相当する後側に収容されることで正面側から視認不能とされている。中央装飾体２０２は、通常状態に対して中央側に動作可能とされ、中央側に最大に移動した最大移動状態において、１つの対象物としての記章を模した形状を形成する。
【００４８】
上側表示ユニット２００は、図７に示すように、各部品を一体化して支持するベースユニット２２１と、左側装飾部材２０３が設けられて表示用開口部２１１の左側部分を形成する左側ユニット２２２と、右側装飾体２０１が設けられて表示用開口部２１１の右側部分を形成する右側ユニット２２３と、表示用開口部２１１の下側部分を形成する下側ユニット２２４とを有している。
【００４９】
上側表示ユニット２００は、図７に示すように、ベースユニット２２１に対して他の３つのユニット２２２〜２２４が前面側より取り付けられることで構成されている。特に、ベースユニット２２１に対して前面側に各ユニット２２２〜２２４を重ねて位置を合わせ、上側表示ユニット２００の四つの角部分と下側の縁部分等、周縁に沿った位置に前面側からネジ固定することで一体化可能とされており、その固定部分は上パネル部１３１ａの外側に位置して正面側から視認不能とされることで、組み付け作業を容易にしつつ、見栄えを良いものとしている。以下、ベースユニット２２１、下側ユニット２２４、右側ユニット２２３の順に詳細に説明する。
【００５０】
（ベースユニット２２１）
ベースユニット２２１は、合成樹脂により前側が開放された横長箱状の取付ベース２３１と、取付ベース２３１の開放空間内に設けられて中央装飾体２０２を形成する左側動作部材２３２および右側動作部材２３３と、中央装飾体２０２を左右方向にスライド可能に支持するガイド軸２３４と、中央装飾体２０２に駆動力を付与するためのベルト駆動部２３５とを有している。
【００５１】
取付ベース２３１の中央部分には、表示装置１１２の表示面１１２ａと略同一のサイズに形成された横長のベース窓部２４１が設けられ、このベース窓部２４１を通じて表示装置１１２の表示面１１２ａが遊技者から視認可能とされる。取付ベース２３１の背面側には、表示装置１１２および表示制御装置１１４が取り付けられ、これら装置１１２，１１４がネジにより固定されている。取付ベース２３１の外周部分には、外方に突出し、前後に貫通する取付孔が設けられたベース取付部２４２が設けられ、このベース取付部２４２にネジが挿通されて前面扉２１に上側表示ユニット２００が固定される。なお、図７に示すネジにおいては、頭部に工具の先端部を嵌める溝（例えばプラスドライバーの先端形状に対応した十字の溝等）は省略して示しており、他の図においても同様に省略して示している。
【００５２】
ベルト駆動部２３５は、図７に示すように、取付ベース２３１の箱状内部空間における下側部分に設けられている。ベルト駆動部２３５は、駆動伝達部材としての合成ゴム製のベルト２５１と、ベルト２５１の両端部に設けられる回動部材および支持部材としての２つのプーリ２５２，２５３と、ベルト２５１の駆動力を発生させる駆動手段としての中央駆動モータ２５４とを有している。
【００５３】
ベルト２５１は、一定幅で形成された帯状部材の両端部を接続して形成された無端状の部材であり、２つのプーリ２５２，２５３に両端部が掛けられることにより、２本の直線状の部位が上下に離間した状態で略平行に左右方向に伸張するようにして支持されている。正面側から見て左側に設けられるプーリ２５２は、取付ベース２３１の前後方向に延びる軸を中心に回動するものであり、ベルト２５１を回動させる駆動力を発生する中央駆動
モータ２５４の出力部とされている（以下、出力用プーリ２５２と称す）。
【００５４】
取付ベース２３１の裏面側には、ステッピングモータで構成された駆動手段としての中央駆動モータ２５４が取り付けられており、中央駆動モータ２５４の回転力が複数のギヤを介して出力用プーリ２５２に伝達される。中央駆動モータ２５４は、表示制御装置１１４に電気的に接続され、表示制御装置１１４の制御によって出力用プーリ２５２の回動方向および回動量が制御され、その回動に応じてベルト２５１が駆動される。
【００５５】
正面側から見て右側のプーリ２５３は、前後方向に延びる軸を中心として回動自在に設けられ、出力用プーリ２５２に一端側が支持されたベルト２５１の他端側を支持してベルト２５１を伸張した状態とするための部材である（以下、支持用プーリ２５３と称す）。支持用プーリ２５３は、ベルト２５１が掛け回されていない状態においては、自在に回動可能に取付ベース２３１に支持されている。また、支持用プーリ２５３に対しては、ベルト２５１が伸張される右側方向にバネにより付勢力が付与されている。ここで、図８を参照して、支持用プーリ２５３の支持構造について説明する。
【００５６】
図８は、取付ベース２３１による支持用プーリ２５３の支持構造を示す分解斜視図である。ベースユニット２２１は、取付ベース２３１の正面視右下側端部に設けられる合成樹脂製で前後に厚みを有する板状のプーリ支持部材２３６と、鋼線を巻き回したコイルばねによって形成されたプーリ付勢バネ２３７とを有している。
【００５７】
プーリ支持部材２３６は、前後に厚みを有する横長略矩形状の支持ベース２６１と、支持ベース２６１の左端側より左方に円柱状に突出するプーリ側バネ支持部２６２とを有している。取付ベース２３１の右下側端部には、左右方向に厚みを有する板状部分から右側方向に突出するベース側バネ支持部２４３が設けられている。これらバネ支持部２４３，２６２に対して、プーリ付勢バネ２３７は、その左右両側を支持されつつ圧縮された状態で取り付けられ、プーリ付勢バネ２３７によってプーリ支持部材２３６には、右側への付勢力が付与されている。
【００５８】
支持ベース２６１の中央部には、前後方向に円筒状に突出するプーリ軸支持部２６３が設けられている。プーリ軸支持部２６３の断面中央部分に設けられる軸穴には、金属製で前後方向に延びる円柱状のプーリ支持軸２３８が挿通される。プーリ支持軸２３８の前側部分には、支持用プーリ２５３の軸穴が挿通され、この軸穴はプーリ支持軸２３８より僅かに大きな内周形状に形成される。プーリ支持軸２３８の前後の両端部には、金属製の留め具２３９，２３９が嵌め込まれ、プーリ支持部材２３６に対して支持用プーリ２５３が回動自在に支持された状態で取り付けられる。
【００５９】
支持用プーリ２５３は、合成樹脂により成形された部材であり、図８に示すように、プーリ支持軸２３８を中心とした円筒状の外周面に前後方向に延びる歯部が多数形成された本体部２５３ｂと、その本体部２５３ｂの前後にて本体部２５３ｂより大径に形成された板部２５３ａ，２５３ａとを有している。ベルト２５１の内周面には、その長手方向に直交して前後方向に延びる溝により形成された歯部２５１ａが支持用プーリ２５３に設けられる歯部と同じ間隔（ピッチ）で多数設けられている。板部２５３ａ，２５３ａの間隔は、ベルト２５１の長手方向に直交する前後幅より若干大きく設定され、本体部２５３ｂに対する板部２５３ａ，２５３ａの外周方向側への突出量は、ベルト２５１の厚みの２倍以上に大きく設定されている。なお、このベルト２５１の歯部２５１ａは、ベルト２５１の内周面の全域に設けられるものの、一部のみ図示して他は省略している。
【００６０】
支持用プーリ２５３と共にベルト２５１が掛け回される出力用プーリ２５２の外周面にも、支持用プーリ２５３と同様の多数の歯部が設けられている。ベルト２５１の歯部と、
両プーリ２５２，２５３の歯部とが噛み合うことで、両プーリ２５２，２５３に対するベルト２５１の滑りが防止され、中央駆動モータ２５４の回動動作が両プーリ２５２，２５３により確実に伝達可能とされている。なお、必ずしも中央装飾体２０２の駆動力を伝達する機構を溝付きのベルト２５１および歯付きのプーリ２５２，２５３で構成する必要はなく、他の組合せで構成しても良く、例えば、歯の無いベルトとプーリとの組合せで構成しても良いし、ローラチェーンとスプロケットとの組合せで構成しても良い。
【００６１】
プーリ支持部材２３６におけるプーリ軸支持部２６３の左右両側には、横長の長円状に形成されたガイド孔２６４，２６４が設けられている。取付ベース２３１における各ガイド孔２６４，２６４に対応する部位には、ガイド孔２６４，２６４の上下幅より外径が若干小さく形成された円筒状のガイド軸部２４４，２４４が、前後に厚みを有するベース面より前方に突出して設けられている。このガイド軸部２４４，２４４の突出量は、プーリ支持部材２３６の厚みより若干大きく設定されている。左右のガイド孔２６４，２６４の長さは２つのガイド軸部２４４，２４４の間隔に対応し、左右のガイド孔２６４，２６４における左側の端縁同士および右側の端縁同士の間隔が、２つのガイド軸部２４４，２４４の間隔と一致した設定とされている。
【００６２】
取付ベース２３１における左右のガイド孔２６４，２６４の間には、前後方向に貫通する横長で略長円形状の長穴２４５が前後に厚みを有するベース面を貫通するようにして設けられている。この長穴２４５は、プーリ支持部材２３６のプーリ軸支持部２６３が後側に突出する部位に対応して設けられ、プーリ支持部材２３６の左右方向への移動に際してプーリ軸支持部２６３が取付ベース２３１に当接しない大きさに設定されている。
【００６３】
プーリ支持部材２３６における左右のガイド孔２６４，２６４が取付ベース２３１のガイド軸部２４４，２４４に挿入され、プーリ支持部材２３６の後面側が取付ベース２３１のベース面に当接した状態で、ガイド軸部２４４，２４４の前端部にネジが取り付けられることにより、プーリ支持部材２３６は取付ベース２３１に対して左右方向にスライド動作可能とされる。この取り付けに際しては、プーリ側バネ支持部２６２と、ベース側バネ支持部２４３との間にプーリ付勢バネ２３７を圧縮して介在させる。これにより、プーリ支持部材２３６は、取付ベース２３１に対して右側に付勢された状態とされ、左右のガイド孔２６４，２６４における各左側の端縁にガイド軸部２４４，２４４の左側部分が当接した状態でプーリ支持部材２３６が取付ベース２３１に支持される。２つのガイド軸部２４４，２４４の前側端部には、図８に示すように、ガイド孔２６４，２６４の上下幅より外径の大きな環状の座金が付いたネジが設けられ、プーリ支持部材２３６が取付ベース２３１に対して前側への移動が阻止される。
【００６４】
出力用プーリ２５２は、支持用プーリ２５３と同一の形状に形成され、その軸穴に挿通される支持軸の後側部分にギヤが設けられる部材が取り付けられ、中央駆動モータ２５４の駆動力が伝達可能とされている。
【００６５】
出力用プーリ２５２と支持用プーリ２５３とに左右両側が支持されたベルト２５１は、図７に示すように、両プーリ２５２，２５３においてベルト２５１を支持する部分の外径分、上下に離間した状態で左右方向に略平行に延びるようにして設けられている。取付ベース２３１の前面下側部分においてベルト２５１の後側には、図７に示すように、ベルト２５１と平行に左右方向に延びる金属製のガイド軸２３４が設けられている。取付ベース２３１の前面下側中央部分には、左右方向に厚みを有して前側がコ字状に開口した板状のガイド軸支持部２４６が設けられ、ガイド軸支持部２４６にガイド軸２３４の中央部が支持される。ガイド軸２３４の左右両側端部は、後側部分が取付ベース２３１に位置決めされた状態で支持され（図８参照）、その前側には軸カバー部材２７１，２７２が設けられている。軸カバー部材２７１，２７２が取付ベース２３１の前側にネジにより取り付けら
れることで、ガイド軸２３４は、取付ベース２３１に対して前側への移動が阻止されて固定される。
【００６６】
中央装飾体２０２は、ガイド軸２３４に支持される左側動作部材２３２および右側動作部材２３３を有し、両動作部材２３２，２３３がベースユニット２２１の正面視中央部にて隣接した状態とされることにより、１つの対象物を形成する。この中央装飾体２０２の構成および動作について、図７に加えて図９および図１０を主に参照しつつ説明する。
【００６７】
図９は、中央装飾体２０２の最大移動状態を示した図であり、図９（ａ）は、ベースユニット２２１の正面図、図９（ｂ）は、ベースユニット２２１の背面図である。図１０（ａ）は、中央装飾体２０２の通常状態におけるベースユニット２２１の正面図であり、図１０（ｂ）は、中央装飾体２０２の移動途中におけるベースユニット２２１の正面図である。なお、図９（ｂ）においては、理解の容易のために、形状の一部を断面視した図を併せて示している。
【００６８】
左右の動作部材２３２，２３３は、図９（ａ）に示すように、最大移動状態においてベース窓部２４１の中央部分で隣接した状態となることで中央装飾体２０２としての１つの記章状の部位を形成する中央装飾部２８１を有している。中央装飾部２８１は、複数の合成樹脂製の部材を組み合わせて正面視で略円形の外形に形成されており、正面中心部から放射状に次第に幅広に延びる多数の突条部で先端部が三角形状に尖った背景部２８２と、その背景部２８２の前側部分に別部材で形成される模様部２８３とを有している。
【００６９】
背景部２８２は、透光性を有する有色の樹脂により形成され、外周側への突出量を周方向に沿って若干異ならせた形状とされている。背景部２８２は、図６に示すように、外周側の頂点に相当する点と中心部とを結んだ線を稜線とし、外周側の凹みの底部分と中心部とを結んだ線が谷底となるようにして前面側に僅かに突出した形状に形成され、前面部分が周方向に沿って起伏を持たせて形成されている。
【００７０】
背景部２８２の背面側は、図９（ｂ）に示すように、起伏を示す稜線及び谷底に対応する線の位置が表面側とは異なり、前側部分の稜線及び谷底の間部分に背面側の稜線及び谷底に対応する線が位置する形状とされている。背景部２８２が透光性を有する有色の合成樹脂により形成されるため、背景部２８２を視認した場合に前後の稜線および谷底に対応する線が多数視認可能となり、また、背景部２８２の前後方向の厚みが周方向に沿って変化するため、透光性を有する樹脂の色の濃淡が周方向に連続して各起伏毎に変化することとなって、単一の樹脂材料で形成した背景部２８２の見栄えを良いものとすることができる。
【００７１】
模様部２８３は、中央装飾部２８１の中央部分を中心とした円形部分と、中心部が僅かに左側に突出し、下側へ向かって次第に幅広く拡がるように形成された中央部分と、中央部の下側にて円形部と同心円上で左右に延びる円弧状の下側部分とを有している。
【００７２】
模様部２８３は、表面処理としてメッキが施された合成樹脂により形成されている。また、模様部２８３の表面には細かな起伏が多数設けられており、具体的には、直径１．５ミリ程度の半球状の凹みが多数設けられている。このため、光を照射した場合に背景部２８２と比較して前面側に光を反射し易く、模様部２８３の形状全体を光り輝くものとすることができる。特に、中央装飾体２０２の全体にメッキを施さずに、背景部２８２と模様部２８３とで色を異ならせることで、模様部２８３の形状を鮮やかに遊技者に視認させることができる。この場合に、模様部２８３の表面と背景部２８２の表面とは同系色とすることが好ましい。例えば、模様部２８３の表面を金色にする場合には、背景部２８２の合成樹脂色は橙色とすることが好ましく、更には蛍光色を含んだ色とすることが好ましい。
【００７３】
左右の動作部材２３２，２３３によって形成される中央装飾部２８１は、左右方向における中央部分で鉛直方向の切断面によって左右にほぼ均等な大きさに分断されている。
【００７４】
左側の動作部材２３２における模様部２８３は、図１０（ａ）に示すように、中央部の一部が右側に突出した突出模様部２８３ａを有する形状とされている。突出模様部２８３ａは、右側動作部材２３３の模様部２８３の一部の前側に位置し、前後方向においてほぼ隙間無く重なる部位であり、模様部２８３の中心部で最も前側に位置する模様を形成する。突出模様部２８３ａを設けて模様を形成することにより、模様部２８３の中央に配置される模様が中央部分で分断されず、最大移動状態における中央装飾体２０２の中央部分の見栄えを良いものとしている。
【００７５】
突出模様部２８３ａが前側に重なる右側動作部材２３３の左側端縁の角部２３３ａには、前面側から後側に傾斜する面取り加工が施されている。左右の動作部材２３２，２３３には、スライド移動に必要な隙間が設けられるためにがたつきが生じ、そのがたつきによって突出模様部２８３ａの右側端縁が後側に位置する場合が生じ得る。この場合に、右側動作部材２３３の左側端部に突出模様部２８３ａが当接しても角部２３３ａの面取り部分によって前側に案内されることとなり、突出模様部２８３ａの破損が防止されている。
【００７６】
左右の動作部材２３２，２３３の下側部分には、図１０（ｂ）に示すように、ガイド軸２３４が挿通可能な軸挿通部３１１，３２１が設けられている。各軸挿通部３１１，３２１は、両動作部材２３２，２３３が正面視で時計回り方向又は反時計回り方向にがたつかないように、左右方向に長く形成され、ガイド軸２３４との隙間も少なく設定されている。また、左右の動作部材２３２，２３３の上側部分は、前後両側への移動が阻止されるように、取付ベース２３１の一部により後側が支持され、取付ベース２３１の上側端部に設けられる上側カバー２７３によって前側が支持されている。すなわち、上側カバー２７３と取付ベース２３１との間に下側が開口して左右方向に延びる溝状部分が形成され、該溝状部分に左右の動作部材２３２，２３３の上側部分が僅かな隙間を隔てて入り込んだ状態とされ、ガイド軸２３４を中心とした左右の動作部材２３２，２３３の前後方向への移動が阻止されている。
【００７７】
左右の動作部材２３２，２３３における軸挿通部３１１，３２１の下側部分は、図９（ａ）に示すように、ベルト２５１に達する位置まで延びるようにして形成され、その下側端部にベルト取付部３１２，３２２が設けられている。ベルト取付部３１２，３２２は、ベルトを前側より差し込み可能な程度に前側および左右両側が開口した隙間を形成する部位である。左側動作部材２３２のベルト取付部３１２は、ベルト２５１の上側部分に対応した高さに設けられ、左右方向における位置としては最大移動状態において出力用プーリ２５２と支持用プーリ２５３との間部分における中央より僅かに左側であり、通常状態において出力用プーリ２５２の右側に隣り合う位置とされている。この左側動作部材２３２のベルト取付部３１２は、出力用プーリ２５２に対してベルト２５１が正面視右回り方向側に連続する上側部分における支持用プーリ２５３に達する手前部分に相当する部位であり、最大移動状態に対応した位置において出力用プーリ２５２に対してベルト２５１の上側部分に沿った距離が最大となる部位である。
【００７８】
左側動作部材２３２のベルト取付部３１２には、ベルト２５１が差し込まれた状態でベルト２５１の前側部分にネジの端部が位置するようにしてネジが取り付けられ、ベルト２５１の前側への移動が阻止される。また、左側動作部材２３２のベルト取付部３１２の隙間における下側の面には、ベルト２５１の歯部２５１ａに噛み合い可能なように、ベルト２５１の歯部２５１ａと同一高さで同一のピッチに形成された歯部が前後に延びるようにして設けられている。このベルト取付部３１２とベルト２５１との歯部２５１ａの噛み合
いによって、ベルト２５１に対して左側動作部材２３２が滑ることなく同期して動作可能とされている。
【００７９】
右側動作部材２３３のベルト取付部３２２は、図９（ａ）に示すように、ベルト２５１の下側部分に対応した高さに設けられ、左右方向における位置としては最大移動状態において出力用プーリ２５２と支持用プーリ２５３との間部分における中央より僅かに右側であり、通常状態において支持用プーリ２５３の左側に隣り合う位置とされている。右側動作部材２３３のベルト取付部３２２は、出力用プーリ２５２に対してベルト２５１が正面視左回り方向側に連続する下側部分における支持用プーリ２５３に達する手前部分に相当する部位であり、最大移動状態に対応した位置において出力用プーリ２５２に対してベルト２５１の下側部分に沿った距離が最小となる部位である。
【００８０】
右側動作部材２３３のベルト取付部３２２は、左側動作部材２３２のベルト取付部３１２と同様にネジにより固定されている。また、右側動作部材２３３のベルト取付部３２２の隙間における上側の面には、ベルト２５１の歯部２５１ａに噛み合い可能なように、ベルト２５１の歯部２５１ａと同一高さで同一のピッチに形成された歯部が前後に延びるようにして設けられ、滑りが生じない構成とされている。
【００８１】
左右の動作部材２３２，２３３は、ベルト２５１に対して、図９（ａ）に示すように、最大移動状態に相当する位置において中央装飾部２８１としての１つの対象物を形成する位置にネジ止めされている。この最大移動状態に対してベルト２５１が正面視左回りに回動すると、左側動作部材２３２は左側へ移動し、右側動作部材２３３は右側へ移動する。図１０（ｂ）に示す途中状態を経て、更に中央駆動モータ２５４を一方に回動させてベルト２５１が左回りに回動すると、左右の動作部材２３２，２３３は、図１０（ａ）に示す通常状態に対応する位置まで移動する。逆に、ベルト２５１が右回りに回動すると、左側動作部材２３２は右側へ移動し、右側動作部材２３３は左側へ移動する。
【００８２】
取付ベース２３１の前面右下側には、図８に示すように、通常状態における右側動作部材２３３の右側への移動を阻止するストッパ部２４７が設けられている。ストッパ部２４７は、取付ベース２３１に取り付けられる軸カバー部材２７２に覆われた部位に形成され、右側動作部材２３３における軸挿通部３２１の右側端部に対面する位置に背面側から突出するようにして設けられている。このストッパ部２４７と右側動作部材２３３の軸挿通部３２１との当接により右側動作部材２３３は、通常状態に対応する位置にて停止する。この右側動作部材２３３の停止に伴うベルト２５１の回動停止によって、左側動作部材２３２は停止する。
【００８３】
右側動作部材２３３の軸挿通部３２１の上側部分には、図９（ａ）に示すように、前後に厚みを有して横長矩形状で上方に突出する検知部３２３が形成されている。取付ベース２３１の前面右下側端部には、図８に示すように、軸カバー部材２７２によって覆われる箇所に非接触式のフォトセンサ２５５が設けられている。このフォトセンサ２５５は、左右の動作部材２３２，２３３の動作を制御する表示制御装置１１４と電気的に接続されている。
【００８４】
右側動作部材２３３に設けられる検知部３２３は、図１０（ａ）に示すように、通常状態において軸カバー部材２７２の背面側に位置し、フォトセンサ２５５に右側動作部材２３３の検知部３２３が検知されることで右側動作部材２３３が通常状態となったことを表示制御装置１１４が認識する。電源オン時の初期状態および左右の動作部材２３２，２３３を移動させた後に元の通常状態に復帰させる場合等においては、フォトセンサ２５５に検知部３２３が検知されているか否か、すなわち通常状態となっているか確認され、通常状態となっていなければベルト２５１を左回りに回動してフォトセンサ２５５に検知部３
２３が検知されるまで中央駆動モータ２５４を駆動制御する。フォトセンサ２５５に検知部３２３が検知された場合に中央駆動モータ２５４を停止すると、左右の動作部材２３２，２３３は通常状態に対応した位置に配置される。最大移動状態から通常状態に復帰する移動量に相当する分、中央駆動モータ２５４を駆動してもフォトセンサ２５５に検知部３２３が検知されない場合は、右側動作部材２３３に異常が発生しているため、表示制御装置１１４によって異常状態に対応した報知等の制御が行われる。
【００８５】
左右の動作部材２３２，２３３は、表示制御装置１１４の制御によって中央駆動モータ２５４の回動量によって動作制御され、通常状態においては、左右両側に離間した位置に配置されている（図１０（ａ）参照）。遊技の状況に対応した演出の内容等に応じて中央側に左右の動作部材２３２，２３３を移動させる場合には、その移動量に対応した回転量分、中央駆動モータ２５４が駆動される。左右の動作部材２３２，２３３を中央側へ移動させる場合には、中央駆動モータ２５４は、出力用プーリ２５２が正面視時計回りに回動する方向側へ回動する。
【００８６】
出力用プーリ２５２が正面視時計回りに回動すると、その回動に伴い、ベルト２５１は右回りに回動する。上下に離間して左右方向に延びるベルト２５１の下側部分が左方へ引かれることとなり、右側の動作部材２３３が左側へ引かれるようにして移動する。この引張力は、ベルト２５１の右側端部に設けられる支持用プーリ２５３を介して左側動作部材２３２に伝達され、左側動作部材２３２が右側へ引かれるようにして移動する。
【００８７】
この左右の動作部材２３２，２３３の移動に際して、上記したように、プーリ支持部材２３６は正面視左側へ移動可能に構成されている。プーリ支持部材２３６の付勢方向は、ベースユニット２２１の正面視右側方向であり、左右方向に伸ばして配置されたベルト２５１を更に伸張する方向とされている。プーリ付勢バネ２３７の巻き数および線径は、ベルト２５１に駆動力が伝達された場合にプーリ付勢バネ２３７が縮むことでプーリ支持部材２３６が正面視左側へ移動する設定とされている。
【００８８】
左右の動作部材２３２，２３３のうち、左側の動作部材２３２に対しては、支持用プーリ２５３を介して出力用プーリ２５２の回動力が伝達される。このため、出力用プーリ２５２が回動を開始して右側動作部材２３３が移動を開始したときに、必ずしも左側動作部材２３２が同時に移動を開始する必要はなく、右側動作部材２３３の移動に伴いプーリ支持部材２３６が正面視左側へ移動することで、出力用プーリ２５２は回動することができる。左側動作部材２３２が動作を開始してからは、左側動作部材２３２の動作に要する駆動力は少なくなり、その分、右側動作部材２３３への駆動力を増大させて右側動作部材２３３を移動させることができる。
【００８９】
すなわち、出力用プーリ２５２の回動開始時に、左右の動作部材２３２，２３３を同時に動作させるためには静止状態に対応した大きな力が必要となる。中央駆動モータ２５４の回動トルクが十分にない場合には、中央駆動モータ２５４に対する励磁の制御に対して出力用プーリ２５２の回動が同期しない状態（いわゆる脱調）が発生し易い。脱調が発生すると設計者の意図した中央装飾体２０２の動作を実現することは難しい。
【００９０】
これに対し、本実施形態においては、支持用プーリ２５３を支持するプーリ支持部材２３６を付勢力に抗しつつ正面視左側へ移動可能とし、左右の動作部材２３２，２３３のうち一方側の動作部材（右側動作部材２３３）は出力用プーリ２５２の回動力が直接伝達され、他方側の動作部材（左側動作部材２３２）は支持用プーリ２５３を介して回動力が伝達される。このため、プーリ付勢バネ２３７が縮んでベルト２５１の支点間距離が縮められる分は、中央装飾体２０２の一部（左側動作部材２３２）が動作しないで静止していても出力用プーリ２５２が回動可能とされている。よって、ベルト２５１に取り付けられる
中央装飾体２０２の移動に対する負荷が大きくても、出力用プーリ２５２の回動開始時における中央駆動モータ２５４の脱調の発生を防止することができ、加速や減速時における脱調についても同様に防止することができる。従って、中央装飾体２０２を構成する左右の動作部材２３２，２３３を大型化しつつ設計者の意図通りの動作を低コストで実現することができる。
【００９１】
出力用プーリ２５２が正面視時計回りに回動し続けると、右側動作部材２３３は、図９（ａ）に示すように、右側動作部材２３３が中央側に移動した最大移動状態までスライド移動する。最大移動状態においては、右側動作部材２３３は、取付ベース２３１の一部に相当するガイド軸支持部２４６の右側面に右側動作部材２３３の軸挿通部３２１の左側端部が当接することで左側への移動が阻止される。この移動量は、中央駆動モータ２５４の励磁相を切り替えるステップ数によって制御することができ、表示制御装置１１４は、右側動作部材２３３が最大移動状態に達するのに十分なステップ数で中央駆動モータ２５４を駆動した後に、駆動制御を停止する。
【００９２】
左側動作部材２３２は、図１０（ａ）に示すように、正面視左側端部に配置された状態から、図９（ａ）に示すように、左側動作部材２３２が中央側に移動して右側動作部材２３３の左側に隣接する最大移動状態までスライド移動する。最大移動状態においては、左側動作部材２３２は、右側動作部材２３３の一部に相当する中央装飾部２８１の左側端部に当接することで右側への移動が阻止される。詳細には、左側動作部材２３２と右側動作部材２３３の中央装飾部２８１における左右に分断した面の一部が当接面とされている。
【００９３】
ここで、最大移動状態においては、図９（ａ）に示すように、左右の動作部材２３２，２３３が中央部分で接した状態となって、１つの対象物を形成する。このとき、左右の動作部材２３２，２３３がそれぞれ取付ベース２３１の一部に当接して中央側にて近接した状態とする場合には、左右の動作部材２３２，２３３の中央部分には、設計上の隙間が必要となって１つの対象物の一体感を損なうこととなってしまう。
【００９４】
これに対して、本実施形態においては、最大移動状態においては、右側動作部材２３３のみが取付ベース２３１の一部に当接し、左側動作部材２３２は、右側動作部材２３３に当接して停止する。特に、中央装飾部２８１において分断した部位を当接部として設定している。このため、左右の動作部材２３２，２３３の隙間を少なく形成して１つの対象物としての見栄えを良いものとすることができる。
【００９５】
また、右側動作部材２３３が最大移動状態に達するまで、左側動作部材２３２に対しては支持用プーリ２５３を介して出力用プーリ２５２の回動力に応じた引張力が伝達されるものの、右側動作部材２３３が最大移動状態となると出力用プーリ２５２の回動力に応じた引張力が右側動作部材２３３の停止によって、右側動作部材２３３のベルト取付部３２２より右側には伝達されず、左側動作部材２３２に引張力が伝達されない。左側動作部材２３２は、ベルト２５１の回動中において支持用プーリ２５３が正面視左側へ移動させられた分のプーリ付勢バネ２３７のバネ力により右側動作部材２３３に当接することとなる。
【００９６】
すなわち、ベルト２５１に対する左右の動作部材２３２，２３３の取付位置として、最大移動状態でプーリ付勢バネ２３７が縮んだ状態とされて、左側動作部材２３２が右側動作部材２３３にバネ力により当接した状態とされる位置が、左右の動作部材２３２，２３３のベルト取付部３１２，３２２として設定されている。このため、ベルト２５１を高いトルクで高速に駆動し、左右の動作部材２３２，２３３を高速で移動させても、その移動に伴う駆動力が直接左右の動作部材２３２，２３３が衝突する力とはならず、左側動作部材２３２の慣性力に支持用プーリ２５３のバネ力を加えた力に抑えることができる。従っ
て、左右の動作部材２３２，２３３の当接部分として、遊技者から視認され得る中央装飾部２８１の一部を使用しても、その部位が破損する可能性が低減され、左右の動作部材２３２，２３３によって一体的に形成される対象物の見栄えを向上しつつ、その移動速度を高速に設定して遊技者に驚きを与えやすい演出を行うことができる。しかも、この衝突力を抑制する機能は、脱調を防止する支持用プーリ２５３の動作を利用して実現するため、専用の機構を設ける必要がなく、低コストで衝突力抑制機能を付加することができる。
【００９７】
また、左側動作部材２３２には、右側動作部材２３３の模様部２８３の前面側に重なる突出模様部２８３ａが設けられている。この突出模様部２８３ａは、デザインを重視するために前後の厚みが他の部位よりも薄く形成され、更には表面にメッキが施されることで衝突力に対して脆い部位とされている。この突出模様部２８３ａは、衝突力が抑制された左側動作部材２３２に設けられているので、右側動作部材２３３との衝突時に突出模様部２８３ａが破損し難いものとされている。すなわち、右側動作部材２３３は、最大移動状態における取付ベース２３１のストッパに衝突する際の衝撃と、左側動作部材２３２が衝突する衝撃とが作用することとなるため、突出模様部を一層厚く形成する等して耐久性も更に考慮しなければならないところ、左側動作部材２３２に突出模様部２８３ａを設けることで、デザインの自由度を高めて見栄えの良い突出模様部２８３ａとすることができる。
【００９８】
また、右側動作部材２３３において中央装飾部２８１の背景部２８２を形成する部位の左側端縁には、図１０（ｂ）に示すように、上下に長く形成されたリブ状の突出部３２４が左側に突出して形成され、この突出部３２４は、最大移動状態において左側動作部材２３２の後側に重なり、正面側から視認不能な位置に設けられている。左右の合わせ面の後側部分が突出部３２４によって覆われることにより、中央装飾部２８１の背面側に位置する表示装置１１２の表示面１１２ａの表示色が前面側に全く漏れず、合わせ面付近の見栄えを良くすることができる。また、左側動作部材２３２によって左右の動作部材２３２，２３３の合わせ部分における中央部分の形状を形成することで、上記した突出模様部２８３ａと同様に、破損がしにくく、デザイン性に優れた装飾を施すことができる。なお、背景部２８２の一部として突出部３２４が設けられる部分においては、左側動作部材２３２の右側端縁は、他の部位より前後方向の厚みを薄く形成し、特に、その右側端縁に対して突出部３２４が重なった状態における前後の厚みと、他の背景部２８２における前後の厚みを略同一とすることにより、透光性を有する背景部２８２の色味を全体で調和のとれたものとすることができて好ましい。
【００９９】
最大移動状態から通常状態に復帰する場合には、表示制御装置１１４の制御により、出力用プーリ２５２が正面視反時計回りに回動し、その回動に伴い、ベルト２５１は左回りに回動する。上下に離間して左右方向に延びるベルト２５１の上側部分は左方へ引かれることとなり、左側の動作部材２３２が左側へ引かれるようにして移動する。ベルト２５１の下側部分は右方へ引かれることとなり、右側の動作部材２３３が右側へ引かれるようにして移動する。
【０１００】
通常状態に対応した位置までベルト２５１が左回りに回動すると、ストッパ部２４７と右側動作部材２３３の軸挿通部３２１との当接により右側動作部材２３３は、通常状態に対応する位置にて停止する。右側動作部材２３３が通常状態に対応した位置に達すると、フォトセンサ２５５によって右側動作部材２３３の検知部３２３が検知され、表示制御装置１１４は、左右の動作部材２３２，２３３が通常状態となったことを認識して中央駆動モータ２５４の回動を停止する。
【０１０１】
左側動作部材２３２は、右側動作部材２３３の停止に伴うベルト２５１の回動停止によって停止する。このため、通常状態に対応した位置への停止時においても、右側動作部材
２３３のみに衝突力が発生し、左側動作部材２３２は、他の部材と衝突することがない。また、右側動作部材２３３がストッパ部２４７に当接して停止した直後は、出力用プーリ２５２がベルト２５１を左回りに回動させようとする力は、プーリ付勢バネ２３７の付勢力に抗するようにしてプーリ支持部材２３６を正面視左側へ移動させることとなり、左側動作部材２３２は右側動作部材２３３と同時停止しないで時間をかけて停止状態へと遷移する。よって、左側動作部材２３２に対しての衝撃力を少なくして左側動作部材２３２に対してのデザインの自由度を高める等の右側動作部材２３３とは別の機能を付加することができる。
【０１０２】
また、右側動作部材２３３は、最大移動状態より通常状態に対応した位置において出力用プーリ２５２から離間した位置に配置される。このため、通常状態に対応した位置に配置された右側動作部材２３３の位置を検知するフォトセンサ２５５と、右側動作部材２３３に当接するストッパ部２４７とは、出力用プーリ２５２から離間して設けることができる。よって、出力用プーリ２５２に近い側には中央駆動モータ２５４やギヤ等を配置しつつ、フォトセンサ２５５等は他の位置に分散して配置することができ、ベルト２５１の設置領域に対して全域にわたってベルト２５１に関する部材を近接して配置することができ、全体として一部が突出しない小型な装置構成とすることができる。また、支持用プーリ２５３側に、プーリ支持部材２３６およびプーリ付勢バネ２３７を配置することでも出力用プーリ２５２側の構成を簡易にすると共に部品を分散して配置して、装置を小型化して中央装飾体２０２等の装飾領域を広くすることができる。
【０１０３】
（下側ユニット２２４）
次に、下側ユニット２２４について図１１から図１４を主に参照して説明する。図１１は、前側から見た下側ユニット２２４の分解斜視図であり、図１２は、図７のＡ−Ａ線における下側ユニット２２４の横断面図である。図１３は、下側ユニット２２４の平面図であり、図１４は、下側ユニット２２４による中央装飾体２０２への光の照射を示す説明図である。なお、図１３においては、理解の容易のために、下側ユニット２２４の外形を一点鎖線で示し、発光基板４１５，４１６を実線で示している。
【０１０４】
下側ユニット２２４は、図６に示すように、ベースユニット２２１の前面下部に左右方向に延びるようにして設けられ、表示用開口部２１１の下側部分を装飾する部材である。下側ユニット２２４には、前面側に光を照射して表示装置１１２の表示面１１２ａの周辺に発光による演出を施す発光装飾機能と、最大移動状態における中央装飾体２０２に対して前面側より光を照射する照明機能が設けられている。
【０１０５】
下側ユニット２２４には、図７に示すように、透光性を有する合成樹脂で表面が形成された複数の発光部４０１〜４０４が設けられている。この複数の発光部４０１〜４０４としては、下側ユニット２２４の正面中央部とその左右両側に複数並んで前面側に向けて設けられた前面発光部４０１，４０２と、表示用開口部２１１の内部空間側に向かう上向きで前側に傾斜して設けられる上面発光部４０３と、上面発光部４０３と前面発光部４０１，４０２との前後方向における間部分にて上向きで後側に傾斜して向けられた装飾体発光部４０４とを有している。これら複数の発光部４０１〜４０４が、スタートレバー１５１を操作して行われる抽選結果等、遊技の状態に対応した色および点灯間隔で発光するように、表示制御装置１１４によって制御され、各発光部４０１〜４０４が遊技の状態に対応して発光する。
【０１０６】
下側ユニット２２４は、図１１に示すように、中央に位置する前面発光部４０１（以下、中央前面発光部４０１と称す。）が設けられる前側カバー部材４１１と、中央前面発光部４０１の左右両側に延びて複数区画して形成された左右の前面発光部４０２（以下、左右前面発光部４０２と称す。）を形成する内側カバー部材４１２と、内側カバー部材４１
２の裏面側に設けられる区画部材４１３と、上面発光部４０３および装飾体発光部４０４を形成する上側カバー部材４１４と、各発光部４０１〜４０４を発光させる発光ダイオード（ＬＥＤ）が設けられる２枚の発光基板４１５，４１６と、下側ユニット２２４の後面側を覆う後側カバー部材４１７とを備えている。
【０１０７】
前側カバー部材４１１は、図１１に示すように、横長に形成された複数の合成樹脂製の部材を組み合わせて形成することにより起伏の多い複雑な表面形状を形成する部材であって、下側ユニット２２４の前側部分の外形を形成している。前側カバー部材４１１の左右両側および下側面には、前後に貫通する貫通穴を有してベースユニット２２１に下側ユニット２２４を固定するための固定部が設けられ、前側カバー部材４１１は、下側ユニット２２４を構成する各部品を一体化して支持するベース体としての機能を有している。
【０１０８】
前側カバー部材４１１の中央部分には、図１１に示すように、正面視略矩形状に形成されて中央前面発光部４０１を形成する中央発光部材４１８が設けられている。中央発光部材４１８は、前後に厚みを有する透光性を有する合成樹脂製の部材であり、前側カバー部材４１１の全域を形成する本体部材の背面側より取り付けられる。中央前面発光部４０１の左右両側には、前後に貫通する横長の前面発光用穴部４２１が設けられ、この前面発光用穴部４２１の内側に内側カバー部材４１２の左右前面発光部４０２が配置される。
【０１０９】
前側カバー部材４１１は、上下に厚みを有する壁部が上下に離間し、その左右両側部分と中央前側部分とが連結されることで後方に開口した内部空間が形成され、この前側カバー部材４１１の内部空間内に、内側カバー部材４１２が入り込むようにして配置されている。
【０１１０】
内側カバー部材４１２は、図１１に示すように、前側カバー部材４１１における左右の前面発光用穴部４２１の両端側まで延びる長さに形成された横長で、透光性を有する合成樹脂により形成された部材である。内側カバー部材４１２の左右両側には、前後に厚みを有する正面視略矩形状の左右前面発光部４０２が左右に複数並んで配置され、各左右前面発光部４０２の間部分は、後側に凹んだ縦長の溝によって区画された形状に形成されている。
【０１１１】
内側カバー部材４１２には、図１１に示すように、左右前面発光部４０２の下端部より上下に厚みを有する板状部分が後側に延設して形成された連結部４２２が設けられている。左右前面発光部４０２が連結部４２２に一体化されていることで組み付け作業等の容易化が図られている。内側カバー部材４１２の左右両側端部には、前後に貫通する取付穴４２３が設けられ、この取付穴４２３が前側カバー部材４１１の内部空間にて後側に突出する筒状の取付ボス部４２４に嵌められて、前側カバー部材４１１と内側カバー部材４１２とが位置合わせされる。
【０１１２】
区画部材４１３は、図１１に示すように、内側カバー部材４１２の左右前面発光部４０２の両端側まで延びる横長で白色の合成樹脂により形成された部材である。区画部材４１３は、上下に厚みを有して左右方向の全域に延びる長さで設けられた区画上壁部４３１と、区画上壁部の下側面より左右方向に厚みを有して下方に延設される複数の区画横壁部４３２と、複数の区画横壁部４３２の後側部分にて前後方向に厚みを有して下側部分が後側に位置するように傾斜して設けられる前後区画壁部４３３とを有している。区画上壁部４３１と複数の区画横壁部４３２と前後区画壁部４３３によって、上側と左右両側と後側とが閉鎖された空間が形成され、前側と下側が開放された空間が左右に複数個分割されて形成されている。複数の区画横壁部４３２は、中央前面発光部４０１の両側と、複数の左右前面発光部４０２の間部分に位置し、各発光部４０１，４０２を個別に発光させた場合に隣接する発光部に光が漏れにくくなり、発光部の視認性が高められている。
【０１１３】
下側ユニット２２４には、２枚の発光基板４１５，４１６が設けられ、これら２枚の発光基板４１５，４１６が上下に間隔を隔てて重なるようにして設けられている。以下、これら２枚の発光基板４１５，４１６のうち上側に設けられるものを上側発光基板４１５と称し、下側に設けられるものを下側発光基板４１６と称す。
【０１１４】
下側発光基板４１６は、図１１に示すように、上下に厚みを有する板状のプリント基板で構成され、その上面側に複数個のＬＥＤ４４１〜４４３が搭載された部材である。下側発光基板４１６の下面側には、ＬＥＤ４４１〜４４３の発光制御に用いる集積回路、抵抗およびコネクタ等が設けられる。
【０１１５】
下側発光基板４１６に設けられるＬＥＤ４４１〜４４３は、図１１に示すように、前側の端縁における中央部分にて左右に離間して２つ設けられる中央前面発光用ＬＥＤ４４１と、中央前面発光用ＬＥＤ４４１の左右両側にて複数個点在して設けられる左右前面発光用ＬＥＤ４４２と、それら前面発光用ＬＥＤ４４１，４４２の後側にて左右方向に離間して多数設けられて白色光を上向きに発光する上面発光用ＬＥＤ４４３とを有している。
【０１１６】
中央前面発光用ＬＥＤ４４１は、ＲＧＢの３色ＬＥＤによってフルカラー発光が可能で基板面に垂直な上向きに光を照射するものであり、区画部材４１３によって区画された中央の区画領域に光を照射する。２つの中央前面発光用ＬＥＤ４４１の光は、図１２に示すように、下側部分が後側に位置するように傾斜した前後区画壁部４３３の前側面と、区画上壁部４３１の下面によって反射することで前面側に照射され、中央前面発光部４０１を通じて前方側に照射される。
【０１１７】
左右前面発光用ＬＥＤ４４２は、白色発光で上方に光を照射する区画部材によって区画された各空間に個別に光を照射する部材である。この左右前面発光用ＬＥＤ４４２の光は、上記した中央前面発光用ＬＥＤ４４１の光と同様に、前後区画壁部４３３の前側面と、区画上壁部４３１の下面によって反射することで前面側に照射され、左右前面発光部４０２を通じて前方側に照射される。
【０１１８】
ここで、下側発光基板４１６および上側発光基板４１５に設けられるＬＥＤ４４１〜４４４は、一の方向に最も強い光、すなわち光量が多くなる光を照射するＬＥＤであり、各ＬＥＤ４４１〜４４４は、自身が搭載される各発光基板４１５，４１６に垂直な向きに光量が多くなるようにして光を照射するＬＥＤで構成されている。これらＬＥＤ４４１〜４４４は、照射方向側に対して光量が多く、照射方向に対して傾斜した方向側に対しては、その傾斜した角度の大きさに対応して光量が少量とされる。
【０１１９】
なお、区画部材４１３によって区画された各空間の内面に相当する背面、上面および左右両面には、銀色のメッキ等により光が反射し易い表面処理を施しても良く、ＬＥＤの光が拡散されにくく前方側に一部の光が強く出力されるので、光の発光によって遊技者に内部抽選の当選に対応した情報を認識させやすくすることができる。この場合に、遊技中に点灯回数が多い箇所の光の発光は、眩しい光を遊技者に繰り返し照射しないように内面が直接反射しないものの、光が反射しやすい白色とすることが好ましく、その内面が白色の領域を左右前面発光部４０２に対応した内面とし、中央前面発光用ＬＥＤ４４１の光を反射する内面を他の領域に比べて光を反射し易い表面処理を施すことが遊技者が情報を認識し易く、また、長時間の遊技においても疲れにくい等の点で好ましい。
【０１２０】
上側発光基板４１５は、図１１に示すように、上下に厚みを有する板状のプリント基板の上面に複数個の装飾体発光用ＬＥＤ４４４が並んで搭載された部材である。上側発光基板４１５は、図１３に示すように、下側発光基板４１６より前後幅および左右方向の長さ
が短く設定され、下側発光基板４１６に設けられて上向きに光を照射する上面発光用ＬＥＤ４４３の直上には重ならない大きさに設定されている。上側発光基板４１５に設けられる複数個の装飾体発光用ＬＥＤ４４４のうち両端に位置する装飾体発光用ＬＥＤ４４４の左右方向における位置は、中央装飾体２０２の最大の横幅部分における両端部と略同じ位置とされ、中央装飾体２０２の左右両端部まで装飾体発光用ＬＥＤ４４４の光が照射されやすく構成されている。
【０１２１】
上側発光基板４１５は、図１２に示すように、前側が高く、後側が低くなるようにして、上方より後側に略２０度程度、装飾体発光用ＬＥＤ４４４の搭載面が傾斜して設けられている。上側発光基板４１５が後側に傾斜して設けられることにより、装飾体発光用ＬＥＤ４４４は、図１４に示すように、側面視において照射方向が中央装飾体２０２の上下方向における中央部に向かう位置で、特に中央よりわずかに上側に向かう位置に向けて光を照射可能とされている。
【０１２２】
装飾体発光用ＬＥＤ４４４は、中央装飾体２０２に光を照射して中央装飾体２０２の前面側を光らせる機能を有するものであり、黄褐色または琥珀色（アンバー色）の光を上方に照射する部材である。また、中央装飾体２０２の表面に光沢のあるメッキが施される場合には、そのメッキ部分が金色に近い色で輝かしい発光態様とすることでき、特に金色の表面処理を施すことで深い色味で輝くこととなって好ましい。中央装飾体２０２の背景部２８２も、装飾体発光用ＬＥＤ４４４の発光色と同系色の橙色に設定されることで、その表面が単に明るく光るだけでなく、同系色の光によって同様の色味で光り輝く発光態様を実現することができる。なお、中央装飾体２０２の発光態様を更に好適にするために、表示装置１１２の表示面１１２ａは、中央装飾体２０２の背面側に重なる部位において白色の表示をすることが好ましく、中央装飾体２０２の背面側に重ならない部位は、白色とは別の色を表示することが好ましく、中央装飾体２０２の背景部２８２と同系色とし、金色に近い色としても良く、または、黒色または黒色に近い表示色にして中央装飾体２０２を際立たせて発色する構成としても良い。
【０１２３】
後側カバー部材４１７は、図１１に示すように、前側カバー部材４１１と同程度に横長に形成された無色透明のポリカーボネート等の合成樹脂製の部材である。後側カバー部材４１７は、前後に厚みを有する本体部の左右両側に前後に貫通するネジ挿通部が設けられ、そのネジ挿通部に後側からネジが挿通される。このネジの先端部は、前側カバー部材４１１の取付ボス部４２４に締結固定され、前側カバー部材４１１と後側カバー部材４１７の間に内側カバー部材４１２、区画部材４１３および下側発光基板４１６が挟まれた状態で一体化される。
【０１２４】
後側カバー部材４１７の上側部分には、図１１に示すように、左右方向に離間して前側に突出した２つの上側基板取付部４３４，４３４が設けられ、これら上側基板取付部４３４，４３４の下面に上側発光基板４１５がネジにより固定されている。上側基板取付部４３４，４３４の下面は、図１２に示すように、前側が高く、後側が低くに傾斜して形成され、この傾斜した面に取り付けられる上側発光基板４１５は後側に傾斜して配置されることとなる。
【０１２５】
後側カバー部材４１７は、図１１に示すように、前後に厚みを有する本体部の上側部分が後側に延び、その後側に延びた後側端部より上方に延設された上側取付板部４３５を有している。上側取付板部４３５は、前後に厚みを有する横長の板状に形成され、左右方向における両側部分の下側には、前後に貫通する係合穴部４３６が設けられている。この係合穴部４３６には、上側カバー部材４１４に設けられる係合爪が弾性力によって入り込み、上側取付板部４３５に上側カバー部材４１４が固定可能とされている。
【０１２６】
上側カバー部材４１４は、図１１に示すように、横長で上下に厚みを有し、透光性を有するポリカーボネート等の合成樹脂製の部材である。上側カバー部材４１４には、図１３に示すように、平面視で横長矩形状に形成された上面発光部４０３が後側部分に設けられ、その前側には、横長で、上面発光部４０３より長さが短く形成された装飾体発光部４０４が設けられている。
【０１２７】
上面発光部４０３は、その全域を形成する平面状の平面部４５１と、平面部４５１より複数箇所で部分的に上方に突出して設けられる上面凸部４５２とを有している。上面発光部４０３の平面部４５１には、一辺が１ｍｍ程度で上面側に凹んだ正六角錐形状を多数組み合わせた起伏が下側面に相当する内面側に設けられている。また、上面発光部４０３の上面凸部４５２にも、その下側面に相当する内面側に多数の起伏が設けられ、この上面凸部４５２における起伏は、平面部４５１から頂点部分に直線状に形成される山形の溝が多数設けられることで形成されている。下側発光基板４１６に設けられる上面発光用ＬＥＤ４４３によって上面発光部４０３に照射された光は、上面発光部４０３の内面側に設けられる起伏によって拡散され、上面発光部４０３の表面を均一に近い状態で発光する構成とされている。
【０１２８】
装飾体発光部４０４の上面は、左右方向に延びる２つの面を前後に連続させて形成され、横断面が一定で細かな起伏が設けられない滑らかな表面および内面形状に形成されている。装飾体発光部４０４の上面は、図１２に示すように、その前側部分を形成する装飾体上部発光面４６１と、後側部分を形成する装飾体下部発光面４６２とを有し、装飾体上部発光面４６１からの光が主に中央装飾体２０２の上側部分に照射され、装飾体下部発光面４６２からの光が中央装飾体２０２の下側部分に照射される。
【０１２９】
装飾体上部発光面４６１と装飾体下部発光面４６２とは、図１２に示すように、装飾体上部発光面４６１に対して装飾体下部発光面４６２が後側に位置し、装飾体上部発光面４６１より装飾体下部発光面４６２の方が前後方向における表面長さが短く設定され、装飾体上部発光面４６１より装飾体下部発光面の方が後側に向くように傾斜して形成されている。各発光面４６１，４６２は、装飾体発光用ＬＥＤ４４４からの照射方向（図１２の矢印方向）に対して断面視で前後が対称ではなく、装飾体上部発光面４６１は、その照射方向に対して垂直な方向に延びて、上側が凸となる円弧によって形成される一方、装飾体下部発光面４６２は、その照射方向に対して略１００度の方向に延びる平面状に形成されている。このため、装飾体下部発光面４６２を通過する光は、後方側における下側に向けて屈折した状態で出力されやすいものとなり、中央装飾体２０２の模様部２８３の下側端部まで光が照射され易くすることができる。
【０１３０】
装飾体上部発光面４６１を形成する曲線と装飾体下部発光面４６２を形成する平面との接続部分に相当する上下接続部４６３は、上側に頂点が位置するようにして折れ曲がる曲線にて形成され、装飾体上部発光面４６１より曲率半径が小さい上側に凸となる曲線が装飾体下部発光面４６２と装飾体上部発光面４６１とに接する状態で連続するように形成されている。
【０１３１】
装飾体発光部４０４の内面は、その断面が直線的な平面状に形成され、上側発光基板４１５の板面と平行で、装飾体発光用ＬＥＤ４４４の照射方向に垂直に交差する面形状とされている。装飾体発光用ＬＥＤ４４４の照射方向は、図１２に示すように、上下接続部４６３に向けられた設定とされている。このため、装飾体発光用ＬＥＤ４４４の照射方向に沿った部分が最も厚く、照射方向に対して前後両側に離れるほど次第に厚みが薄くなる形状とされている。
【０１３２】
装飾体発光用ＬＥＤ４４４から照射された光は、装飾体発光部４０４の内面側から装飾
体発光部４０４へと入射される。装飾体発光部４０４の内面が装飾体発光用ＬＥＤ４４４の照射方向に対して垂直に設けられるため、装飾体発光部４０４の内側に装飾体発光用ＬＥＤ４４４の光が入射し易く、光の損失が少ない設定とされている。
【０１３３】
なお、必ずしも装飾体発光部４０４の内面を平面状に形成する必要はなく、図１２に示す横断面視において装飾体発光用ＬＥＤ４４４の照射方向と半径方向とが一致する円弧状の曲面としても効率良く装飾体発光用ＬＥＤ４４４の光を入射することができる。この場合には、装飾体発光用ＬＥＤ４４４と装飾体発光部４０４の内面との間隔より大きな半径の円弧によって装飾体発光部４０４の内面を形成することが好ましい。また、装飾体発光部４０４の内面を左右方向において曲面状に形成しても良く、この場合にも、装飾体発光用ＬＥＤ４４４の照射方向と半径方向とが一致する円弧状の曲面とし、装飾体発光用ＬＥＤ４４４と装飾体発光部４０４の内面との間隔より大きな半径の円弧によって装飾体発光部４０４の内面を形成することが好ましい。
【０１３４】
装飾体発光用ＬＥＤ４４４からの光が装飾体発光部４０４の内部に入射されると、その光は、装飾体発光部４０４の上面に相当する装飾体上部発光面４６１、装飾体下部発光面４６２および上下接続部４６３のいずれかの部位を経由して上面側に出射される。この出射に際しては、光が屈折することとなり、曲率半径が小さい部分においては光が収束されて照射され、曲率半径が大きな部分は逆に光が拡散される。装飾体上部発光面４６１、装飾体下部発光面４６２および上下接続部４６３のうち、上下接続部４６３が最も小さな曲率半径に設定され、装飾体発光用ＬＥＤ４４４の照射方向に沿った光は一旦収束した先側で上下方向に拡散されて照射され、照射方向に沿った方向側が明るくなりすぎることが抑制されている。
【０１３５】
装飾体下部発光面４６２から出射される光は、装飾体発光用ＬＥＤ４４４からの照射方向に対して前後対称でなく、照射方向に対して略１００度の方向に延びる平面状に形成されている。このため、照射方向に対して垂直方向に延びる形状で装飾体下部発光面４６２を形成するより、中央装飾体２０２の下側に向けて光が確実に照射されやすくなる。すなわち、装飾体下部発光面４６２は、図１４に示すように、装飾体発光用ＬＥＤ４４４の照射方向に位置する中央装飾体２０２の略中央部における高さ位置より下側部分に向かう面で形成され、この下側部分に向いた方向側に向けて光が照射され易くなる。よって、中央装飾体２０２より下側となる上面発光部４０３側への光の拡散を抑制することができ、効率良く、中央装飾体２０２の下側部分を発光させることができる。従って、少ない発光手段を用いた効率の良い発光による装飾を中央装飾体２０２に対して施すことができ、下側ユニット２２４を小型に形成して、大きな中央装飾体２０２を広範囲にわたって前面側から効率良く光らせる照明機能を実現することができる。また、装飾体下部発光面４６２の方が、装飾体上部発光面４６１より前後方向における表面長さが短く設定されているので、中央装飾体２０２の上側部分と下部部分との輝度の差を少なくして、均一に近い状態で中央装飾体２０２を発光させることができる。
【０１３６】
中央装飾体２０２の左右方向における最大幅に対して、装飾体発光部４０４は、その最大幅の全域における前側部分に位置して左右方向に略同等の長さを有して左右方向側に対して一定の断面形状で形成されている。そして、装飾体発光部４０４を発光させるための上側発光基板４１５は、その一定の断面形状部分より更に左右両側に長く形成され、一定の断面形状部分に相当する範囲の全域に渡って装飾体発光用ＬＥＤ４４４が等間隔で多数設けられている。このため、中央装飾体２０２の横幅全域にわたって均一に近い状態で光を照射して中央装飾体２０２の全体に十分な光の装飾を施すことができる。
【０１３７】
装飾体発光部４０４の上面における前側端縁４６４は、図１２に示すように、略垂直に延びる前面部分と後側に向かって次第に低く傾斜した装飾体上部発光面４６１とにより鋭
角で尖った形状に形成されている。この前側端縁４６４における横断面における曲率半径は１ｍｍより小さく設定され、装飾体発光部４０４の上面より前側部分に光が照射しにくいものとされている。
【０１３８】
装飾体発光部４０４の上面における後側端縁４６５は、図１２に示すように、後側に向かって次第に低く傾斜した装飾体下部発光面４６２と、後側に向かって次第に高く位置する上面発光部４０３とによって下側が谷底となるようにして尖った形状に形成されている。この後側端縁４６５を形成する横断面における谷底部分の内径は１ｍｍより小さく設定されている。装飾体発光用ＬＥＤ４４４から照射された光が後側端縁４６５より下側を経由して上面発光部４０３側に導かれた場合、その光の方向は、上面発光部４０３が後側に向かって上方側に位置する方向に近い角度となるため、上面発光部４０３の上面より抜け出すことが少なくされ、上面発光部４０３は、上面発光用ＬＥＤ４４３の光の制御によって装飾体発光部４０４の発光とは独立して発光可能とされている。
【０１３９】
装飾体発光部４０４は、図１２に示すように、その後側端縁４６５に近づくほど低くなるように形成されている。このため、前面側から遊技者が上側表示ユニット２００を視認した場合に装飾体発光部４０４は、ほとんど視認不能とされる一方、後側に設けられる上面発光部４０３を前後に幅広く視認可能とすることができる。よって、上面発光部４０３による装飾部分を広く形成しつつ、前面側から視認した場合における装飾を機種のイメージに合致したものとすることができる。また、中央装飾体２０２の照明機能としての装飾体発光部４０４は、装飾効果より機能を実現するための単調な形状としても、遊技者から視認しにくいものとして機種イメージを損なうことを抑制することができる。
【０１４０】
上面発光部４０３は、図１３に示すように、装飾体発光部４０４より左右方向に沿った両側に長く形成されると共に、装飾体発光部４０４に対して左右方向の両側に一部が位置する形状となるように前側端縁における左右両側が前側に突出した形状に形成され、この部位に対しても光を照射する上面発光用ＬＥＤ４４３が搭載されている。このため、上面発光部４０３が発光した場合に装飾体発光部４０４を囲うようにして前側に向けた光が照射されることとなり、装飾体発光部４０４の存在をより遊技者が認識し難い状態にして、機種イメージに対応した装飾とすることができる。
【０１４１】
上面発光部４０３は、図１２に示すように、装飾体発光部４０４の一番高い前側端縁４６４より更に高い位置まで形成されている。よって、装飾体発光部４０４は、正面視においても遊技者によって視認可能な部位となるので、装飾体発光部４０４による装飾を遊技者が視認しやすいものとすることができる。
【０１４２】
装飾体発光部４０４の前側には、図１２に示すように、前側カバー部材４１１の上面部分が位置して装飾体発光部４０４の前面側が前側カバー部材４１１によって、ほぼ覆われた状態とされている。この前側カバー部材４１１の上面部分には、機種イメージに対応して起伏した装飾が設けられている。このため、装飾体発光部４０４の前面側を前側カバー部材４１１によって形成して機種イメージに合致した装飾を施すことができる。
【０１４３】
装飾体発光用ＬＥＤ４４４が搭載される上側発光基板４１５は後側に傾斜して設けられ、上面発光用ＬＥＤ４４３が搭載される下側発光基板４１６は上側発光基板４１５より後側に傾斜しない状態にして設けられる。このため、各ＬＥＤ４４３，４４４は、共に各発光基板４１５，４１６の板面に垂直な方向側に向けて光を照射する一般的な仕様としつつ、装飾体発光用ＬＥＤ４４４によって中央装飾体２０２に光を照射し、上面発光用ＬＥＤ４４３によって上面発光部４０３を介して遊技者に光の装飾を視認し易いものとすることができる。
【０１４４】
上側発光基板４１５に対して下側発光基板４１６は、表示用開口部２１１に対して外方側に相当する下側に設けられる。このため、上側発光基板４１５に設けられる上面発光用ＬＥＤ４４３は中央装飾体２０２に少しでも近づけて、より明るく中央装飾体２０２を発光させることができる。また、下側発光基板４１６に設けられる装飾体発光用ＬＥＤ４４４は上面発光部４０３との距離を離間させて装飾体発光用ＬＥＤ４４４からの光を広範囲に拡散させることができ、少ないＬＥＤの数でも上面発光部４０３の全域を均一に近い状態で発光させることができる。
【０１４５】
下側発光基板４１６には、図１３に示すように、平面視において上側発光基板４１５の後側の端縁より後側に位置することで上下に重ならないようにして上面発光用ＬＥＤ４４３が搭載されている。上側発光基板４１５の前側端縁より前側であって上記した前側カバー部材４１１の上面部分に重なる位置において、この上面部分が位置する上方側に向けて光を照射する前面発光用ＬＥＤ４４１，４４２が設けられている。そして、前側カバー部材４１１の上面部分と下側発光基板４１６との間部分であって上側発光基板４１５の前側に相当する位置に、図１２に示すように、前面発光用ＬＥＤ４４１，４４２によって照射された光を前方側に向けて照射する区画部材４１３が設けられている。このため、下側ユニット２２４を遊技者が前側から視認した場合には、前面発光用ＬＥＤ４４１，４４２によって照射されて区画部材４１３によって前側に反射された光を遊技者に視認させて下側ユニット２２４の前面側における装飾領域を十分に確保することができる。この場合に、前面発光用ＬＥＤ４４１，４４２の照射方向を前側としないで上側とし、区画部材４１３によって前側に反射させることにより、前面発光部４０１，４０２に達するまでの前面発光用ＬＥＤ４４１，４４２からの光の経路を長く形成して、拡散が必要な箇所においては、より広い光の拡散によって少ないＬＥＤで広範囲の領域を均一に近い状態で発光させつつ、上下及び前後長さを短く設定して、前面発光部４０１，４０２を発光させるために必要な領域を少なくすることができる。
【０１４６】
なお、上下の発光基板４１５，４１６に設けられる各ＬＥＤ４４１〜４４４を含む上側表示ユニット２００の発光制御は、中央装飾体２０２の通常状態および最大移動状態において、点灯および点滅し、並びに発光色を変化させることで多様な光の演出を実行するものである。この発光制御は、表示制御装置１１４によって実行するものであり、一般的な制御であるため、制御についての詳細な説明は省略するが、表示制御装置１１４での発光による演出の制御に代えて、主制御装置４１等の他の制御装置で制御するなど、一般的な他の制御装置により発光による演出の制御をしても良い。
【０１４７】
また、装飾体上部発光面４６１に対して装飾体下部発光面４６２は、装飾体発光用ＬＥＤ４４４からの照射方向に対して前後対称でなく、装飾体上部発光面４６１より装飾体上部発光面４６１より装飾体下部発光面４６２の方がより後側に向くように傾斜して形成されるものとすることが好ましく、装飾体上部発光面４６１の方が緩やかな曲線で形成されて曲率半径が大きな円弧で構成される一方、装飾体下部発光面４６２は、装飾体上部発光面４６１に比べてきつい曲線で形成されて曲率半径が小さく設定しても良い。更には、装飾体上部発光面４６１を形成する曲線と装飾体下部発光面４６２形成する曲線とは、横断面において略一定の曲率半径を有する円弧同士が接するものでなく、上側に頂点が位置するようにして折れ曲がる曲線にて形成され、その接続部分に相当する上下接続部４６３は、装飾体下部発光面４６２より更にきつい上側に凸となる曲線が装飾体下部発光面４６２と装飾体上部発光面４６１とに接する状態で連続するように形成され、装飾体下部発光面４６２より更に曲率半径が小さく設定しても良い。このように、装飾体下部発光面４６２が装飾体上部発光面４６１より小さな曲率半径で形成されることにより、装飾体下部発光面４６２の前後長さを短く設定しつつ、その後側端縁４６５付近の光が上面発光部４０３側に拡散しにくい設定とすることができ、中央装飾体２０２の下側部分に向けて光を多く照射することができる。
【０１４８】
（右側ユニット２２３）
次に、右側装飾体２０１が設けられる右側ユニット２２３の構成について、図１５から図２１を参照して説明する。図１５は、前側から見た右側ユニット２２３の主要部の分解斜視図であり、図１６は、後側から見た右側ユニット２２３の主要部の分解斜視図である。図１７から図２０は、右側装飾体２０１の動作を各方向から視認した図であり、図１７は正面側から見た図、図１８は平面図、図１９は右上側から見た斜視図、図２０は斜め前側から見た図を示している。また、図１７から図２０における（ａ）は初期状態、（ｂ）は横回動状態、（ｃ）は前側突出状態をそれぞれ示している。なお、図１７から図２０においては、右側装飾体２０１の動作機構に関する主要な部材のみを示し、他は省略している。
【０１４９】
右側ユニット２２３には、図５（ａ）に示すように、動物（ペガサス）の顔を模した縦長形状に形成された右側装飾体２０１が設けられている。右側装飾体２０１は、正面側を向いた初期状態と、初期状態より表示装置１１２の表示面１１２ａ側に相当する中央側を向いた横回動状態と、横回動状態に対して右側装飾体２０１の前面下側部分が前側に突出した前側突出状態とを形成可能とされている。右側ユニット２２３は、図７に示すように、右側装飾体２０１を形成する動作機構等が取り付けられる右側ベース部材５０１を有し、この右側ベース部材５０１がベースユニット２２１にネジにより取り付けられて上側表示ユニット２００の一部を形成する。
【０１５０】
右側ユニット２２３は、右側装飾体２０１を形成すると共に動作させる部材として、図１５に示すように、動物の顔を模した形状の前面装飾部材５１１と、前面装飾部材５１１の上部を回動可能に支持する３つの構成部材５２１〜５２３で形成される前側支持部材５１２と、前側支持部材５１２の下側部分を回動可能に支持する後側支持部材５１３と、後側支持部材５１３と前面装飾部材５１１とを連結する連結部材５１４と、右側駆動モータ５１５の駆動力を前側支持部材５１２を通じて前面装飾部材５１１および後側支持部材５１３に伝達する伝達部材５１６および出力軸部材５１７と、出力軸部材５１７を通じて伝達部材５１６に駆動力を付与する右側駆動モータ５１５と、右側駆動モータ５１５の回動位置を検出するフォトセンサ５１８とを有している。
【０１５１】
前面装飾部材５１１は、図１５に示すように、動物の頭の先から顎の先までの前面部分を形成した仮面のように前後に厚みを有する形状に形成された透光性を有する有色（例えば赤色）の合成樹脂製の部材である。前面装飾部材５１１は上下方向における中央線を中心とする左右対称形状に形成されている。前面装飾部材５１１の前面側には、表面処理としてメッキ処理が目に相当する部分および中央部から左右両側に延びる細長く形成された一部分を除いた略全体に施され、全体的に銀色のメッキ処理で、一部（左右の角部分）に金色のメッキ処理が施されている。
【０１５２】
前面装飾部材５１１の裏側部分には、図１６に示すように、複数の発光手段としてのＬＥＤが前面側に搭載された前面装飾発光基板５３１が設けられ、ＬＥＤの発光によってメッキが施されていない部位が発光する。前面装飾部材５１１の裏面側には、平行に延びる多数の筋状に断面三角形状の突出部分が並んで設けられている。この突出部分によって、前面装飾発光基板５３１から照射された光が前面装飾部材５１１の前側に拡散して出力され、メッキ処理が施されていない部位を介して前面側が発光し、また、後側に設けられる前側支持部材５１２の前面側を照射する照明機能の一部とされている。
【０１５３】
前面装飾部材５１１における上部（額）に相当する部分の裏面側には、略水平方向に延びる回動軸を中心として連結部材５１４の一端部が回動可能に取り付けられる連結支持部５１１ａが設けられている。連結支持部５１１ａは、前面装飾部材５１１の裏面側におけ
る横方向に厚みを有して後側に突出する板状部分の後側端縁に後側が開口した溝部により構成されている。
【０１５４】
連結部材５１４は、図１６に示すように、横方向に厚みを有して上下に延びる棒状の本体部の上下両端部に左右方向に突出する軸部５１４ａ，５１４ｂが設けられた合成樹脂製の部材である。連結部材５１４の両側面には、長手方向に沿って延びる突条部分が左右両側に突出して設けられ、この突条部により連結部材５１４の両端部への負荷に対しての強度が高められている。
【０１５５】
連結部材５１４の上側の軸部５１４ａは、前面装飾部材５１１の連結支持部５１１ａに対応して入り込み、その後側にネジが固定されることで連結部材５１４の上端部に対して前面装飾部材５１１が横方向に延びる回動軸（以下、前面上側回動軸Ｊ１と称す。）を中心として連結部材５１４に対して回動可能に連結される。
【０１５６】
前面装飾部材５１１のこめかみに相当する上側部分の裏面側であって連結支持部５１１ａの下側には、図１６に示すように、略水平方向に延びる回動軸を中心として前側支持部材５１２の上側端部が回動可能に取り付けられる装飾支持部５１１ｂが設けられている。装飾支持部５１１ｂは、前面上側回動軸Ｊ１と平行に、前面装飾部材５１１の横方向に沿った回動軸を形成する部位であり、前面装飾部材５１１の裏面側における横方向に厚みを有する板部の後側部分に後側が開口したコ字状の部位により構成されている。
【０１５７】
前側支持部材５１２は、図１５および図１６に示すように、左右一対の前側構成部材５２１，５２２を横方向からネジ止めし、その背面下側部分に後側構成部材５２３を後側からネジ止めして形成される部材である。前側構成部材５２１，５２２は、平面視で前側に膨出する断面半円形状で下側に行くほど大きく膨出した合成樹脂製の部材である。前側構成部材５２１，５２２の前側部分には銀色のメッキ処理が施され、前面装飾部材５１１の裏面側に設けられる前面装飾発光基板５３１からの光によって発光する。
【０１５８】
前側支持部材５１２の前側部分を構成する左側の前側構成部材５２１には、図１５に示すように、その上側端部にて左右方向に円柱状に突出する上側横軸部５１２ａが設けられる。前側支持部材５１２の上側横軸部５１２ａは、前面装飾部材５１１の装飾支持部５１１ｂに入り込み可能な外形に設定され、前面装飾発光基板５３１が前面装飾部材５１１に取り付けられる前に、装飾支持部５１１ｂに前側支持部材５１２の上側横軸部５１２ａが対応して入り込み、その後側にネジが固定されることで前側支持部材５１２の上側端部に対して前面装飾部材５１１が横方向に延びる回動軸（以下、前面下側回動軸Ｊ２と称す。）を中心として前側支持部材５１２に対して回動可能に連結される。
【０１５９】
前側支持部材５１２を構成する前側構成部材５２１，５２２の背面下側端部には、図１６に示すように、横方向に厚みを有して後側に突出する板状部分の後側端縁に後側が開口した溝状の後部下側軸支持部５１２ｂが設けられている。後部下側軸支持部５１２ｂの後側には、その開口部分を塞ぐようにして前側支持部材５１２を構成する後側構成部材５２３が取り付けられ、後部下側軸支持部５１２ｂに入り込む後側支持部材５１３の後部下側軸部５１３ａが抜け出し不能とされる。これにより、前側支持部材５１２が横方向に延びる回動軸（以下、後部下側回動軸Ｊ３と称す。）を中心として後側支持部材５１３に対して回動可能に連結される。
【０１６０】
後側支持部材５１３は、図１６に示すように、前側支持部材５１２の前側構成部材５２１，５２２と同程度に縦長の合成樹脂製の部材である。後側支持部材５１３は、前後に厚みを有して上下に延びる下側板状部５１３ｂの下側端縁に、前側支持部材５１２の後部下側軸支持部５１２ｂに対応した後部下側軸部５１３ａが左右方向に円柱状に突出して設け
られている。
【０１６１】
後側支持部材５１３における下側板状部５１３ｂの上側端縁は、上下方向に厚みを有して後方に延出し、更にその後端部から中央部分に隙間を設けて左右両側にて上側に延びるように形成された上側板状部５１３ｃを有している。後側支持部材５１３における上側板状部５１３ｃの背面側には、略水平方向に延びる回動軸を中心として連結部材５１４の下端部が回動可能に取り付けられる後部上側軸支持部５１３ｄが設けられている。後部上側軸支持部５１３ｄは、前面上側回動軸Ｊ１と平行に、連結部材５１４の横方向に沿った回動軸を形成する部位であり、図１６に示すように、後側支持部材５１３の裏面側における横方向に厚みを有する板部の後側部分に後側が開口したコ字状の部位により構成されている。連結部材５１４の下側の軸部５１４ｂは、後側支持部材５１３の後部上側軸支持部５１３ｄに対応して入り込み、その左右両側にネジが固定されることで後側支持部材５１３に対して連結部材５１４が横方向に延びる回動軸（以下、後部上側回動軸Ｊ４と称す。）を中心として回動可能に連結される。
【０１６２】
後側支持部材５１３は、後側縦軸５３２を中心として、右側装飾体２０１を構成する前面装飾部材５１１および前側支持部材５１２を回動可能に支持する部材である。後側支持部材５１３における上側板状部５１３ｃには、図１６に示すように、その上下方向に延びる部位における背面から見て右側部分に突出するようにして上下に厚みを有する板状部５１３ｅ，５１３ｆが上下に離間して設けられている。各板状部５１３ｅ，５１３ｆには、鉛直方向に貫通する貫通孔が設けられ、両貫通孔には、上側端部が先細りした金属製の後側縦軸５３２が下方から挿通される。
【０１６３】
後側縦軸５３２の上側部分には、周面に金属製の留め具が嵌め込み可能な溝が設けられている。右側ベース部材５０１の裏面側には、後側支持部材５１３における上側の板状部５１３ｅの上側部分と、下側の板状部５１３ｆの下側部分とに位置し、後側縦軸５３２を挿通可能な貫通穴が設けられた支持部５０１ａが形成されている。この右側ベース部材５０１の支持部５０１ａに、右側後側支持部材の板状部５１３ｅ，５１３ｆが挟まれた状態とされてから、後側縦軸５３２が下側から挿通され、上側端部に留め具が嵌められて、右側ベース部材５０１に後側支持部材５１３が取り付けられ、後側支持部材５１３を介して前面装飾部材５１１、前側支持部材５１２および連結部材５１４が右側ベース部材５０１に支持される。
【０１６４】
後側支持部材５１３の下側板状部５１３ｂの背面側には、図１６に示すように、先細りした断面円形で棒状の弾性部材支持部５１３ｇが後側に突出して形成されている。前側支持部材５１２の後側構成部材５２３には、弾性部材支持部５１３ｇの突出方向側にて、初期状態において弾性部材支持部５１３ｇと同軸となる円筒状の弾性部材挿入筒部５１２ｃが設けられている。
【０１６５】
後側支持部材５１３と、前側支持部材５１２の後側構成部材５２３との間には、図１６に示すように、鋼線により形成されたコイルバネで構成される弾性部材５３３が設けられている。弾性部材５３３は、後側支持部材５１３に対して、前側支持部材５１２の後側構成部材５２３を常に後方側に押し出すように圧縮した状態で取り付けられ、前側支持部材５１２に対して後部下側軸部５１３ａを中心とした後方側への付勢力が付与される。
【０１６６】
前側支持部材５１２の後側構成部材５２３は、前後方向に厚みを有して下側部分を形成する下側板部５２３ａと、下側板部５２３ａの上端部分が上下に厚みを有して後方側に延びるように形成された上部板部５２３ｂとを有し、更に、上部板部５２３ｂの上面に、上記した弾性部材挿入筒部５１２ｃと、略球形状の駆動力伝達部５１２ｄとを有している。
【０１６７】
前側支持部材５１２の後側構成部材５２３における駆動力伝達部５１２ｄは、図１５に示すように、弾性部材挿入筒部５１２ｃの正面視左側に設けられ、駆動力伝達部５１２ｄには、右側駆動モータ５１５の駆動力を後側支持部材に伝達する伝達部材５１６の一端側が取り付けられる。伝達部材５１６の他端側には、右側駆動モータ５１５の駆動軸に嵌め込まれる出力軸部材５１７が取り付けられ、この伝達部材５１６を通じて右側駆動モータ５１５の駆動力が前側支持部材５１２等に伝達される。
【０１６８】
伝達部材５１６は、図１５に示すように、上下に厚みを有して直線状に延びる軸部分の両端部に上下に貫通する連結穴部５１６ａ，５１６ｂが設けられた部材である。伝達部材５１６の連結穴部５１６ａ，５１６ｂは、駆動力伝達部５１２ｄの外面より僅かに大きく設定された球面の最大外形部分を含んだ一部分を内面形状とし、上下方向における中央部分が最大の直径となる断面円形で、その上下両側が中央部分より小さい直径に設定された断面円形の内面形状とされている。
【０１６９】
伝達部材５１６は、上下一対の合成樹脂製の部材を重ね合わせて形成され、連結穴部５１６ａ，５１６ｂを形成する部分は、上下の一方側の部材の端側部分が断続されて開口した形状とされている。この断続部分を設けることによって断続部分を有する面側から駆動力伝達部５１２ｄを押し込むことで、連結穴部５１６ａが拡がる方向に弾性変形し、駆動力伝達部５１２ｄが連結穴部５１６ａに入り込むと変形状態が復帰することで伝達部材５１６と駆動力伝達部５１２ｄとが接続される。連結穴部５１６ａ，５１６ｂの断続部分は、両端部において上下で反対側の端部に位置するように形成され、これにより、伝達部材５１６の構成部品として一端側が断続した同一形状の部材を２つ形成し、向きを反転させて両端側を連結している中央部分にてネジ等で一体化することで伝達部材５１６を形成することができる。よって、伝達部材５１６の製造時における製造コストや管理コストを低減することができる。
【０１７０】
出力軸部材５１７は、右側駆動モータ５１５の出力軸の回動動作を出力側伝達部５１７ａの回動動作に増幅するための部材である。出力軸部材５１７は、図１５に示すように、右側駆動モータ５１５の出力軸５１５ａに対して嵌め込まれて固定状態とされる上下に延びる筒状の出力軸受け部５１７ｂと、その出力軸受け部５１７ｂの下側端部から上下に厚みを有して側方に延びた先端部にて下側に球状に突出して設けられる出力側伝達部５１７ａとを有している。出力側伝達部５１７ａは、前側支持部材５１２の駆動力伝達部５１２ｄと略同一サイズの外形に設定され、伝達部材５１６の後側における連結穴部５１６ｂに出力側伝達部５１７ａが嵌め込まれて出力側伝達部５１７ａと伝達部材５１６とが接続される。
【０１７１】
ここで、出力側伝達部５１７ａは、駆動力伝達部５１２ｄが突出する上側方向とは反対の下側に突出するようにして形成されている。このため、連結穴部５１６ａ，５１６ｂの断続部分は、両端部において上下で反対側の端部に位置するように形成することができ、伝達部材５１６の製造コストを上記したように低減することができる。
【０１７２】
右側駆動モータ５１５は、図１５に示すように、下向きに突出する出力軸５１５ａを有するステッピングモータであり、合成樹脂製のモータ取付用ベース５３４を介して右側ベース部材５０１に固定されている。右側駆動モータ５１５は、右側装飾体２０１の動作を制御する表示制御装置１１４に電気的に接続され、表示制御装置１１４によって右側駆動モータ５１５の駆動方向および駆動量が制御されることにより、右側装飾体２０１が動作する。
【０１７３】
右側駆動モータ５１５の上側には、その駆動位置を制御するための非接触式のフォトセンサ５１８が設けられ、フォトセンサ５１８には、図１６に示すように、検知部に相当す
る溝部５１８ａが設けられている。フォトセンサ５１８は、合成樹脂製のセンサ取付用ベース５３５を介して右側ベース部材５０１に固定される。
【０１７４】
後側支持部材５１３の上側部分には、図１６に示すように、上下に厚みを有して後側に突出する被検知部５１３ｈが設けられている。初期状態においては、被検知部５１３ｈがフォトセンサ５１８の溝部５１８ａに入り込むことで、後側支持部材５１３を含む右側装飾体２０１が初期状態であることがフォトセンサ５１８によって検知される（図１８参照）。フォトセンサ５１８は、右側装飾体２０１の動作を制御する表示制御装置１１４に電気的に接続され、電源投入時や右側装飾体２０１の動作中などでフォトセンサ５１８によって被検知部５１３ｈが検知されていない場合に、右側装飾体２０１が初期状態に無いことを表示制御装置１１４が認識し、右側駆動モータ５１５の駆動方向および駆動量を制御してフォトセンサ５１８によって被検知部５１３ｈが検知された場合に、右側装飾体２０１が初期状態に復帰したことを検知する。
【０１７５】
次に、右側装飾体２０１の動作について、図２１を加えて参照しつつ説明する。図２１（ａ）は、図１８のＢ−Ｂ線における断面図であり、図２１（ｂ）は、図１８のＣ−Ｃ線における断面図である。
【０１７６】
右側装飾体２０１は、図１８（ａ）から図１８（ｃ）に示すように、平面視において、右側駆動モータ５１５の出力軸５１５ａが回動することにより動作する部材である。右側駆動モータ５１５の回動範囲は、初期状態から最大で平面視反時計回り方向に略４５度の範囲に設定され、右側駆動モータ５１５が初期状態に対して最大の略４５度回動動作することで右側装飾体２０１の前面下側部分が前側に突出した前側突出状態とされる。
【０１７７】
右側駆動モータ５１５が初期状態に対して平面視反時計回り方向に略３０度回動するまでは、図１８（ｂ）に示すように初期状態と同様、右側装飾体２０１の下側部分が前側に突出しない通常状態を維持して後側縦軸５３２を中心に回動する。そして、右側駆動モータ５１５が、初期状態に対して略３０度から略４５度回動する範囲内において、右側装飾体２０１は、平面視においては回動しないで、前面下側部分が次第に前側に突出する。
【０１７８】
初期状態においては、図１８（ａ）に示すように、右側駆動モータ５１５の出力軸５１５ａに対して出力軸部材５１７の出力側伝達部５１７ａは、後方であって右側に位置している。フォトセンサ５１８の溝部５１８ａ内には、図１９（ａ）に示すように、後側支持部材５１３の被検知部５１３ｈが配置され、表示制御装置１１４によって右側装飾体２０１が初期状態であることが検知されている。
【０１７９】
初期状態に対して、右側駆動モータ５１５の出力軸５１５ａが平面視反時計回り方向に回動すると、図１８（ｂ）に示すように、右側駆動モータ５１５の出力側伝達部５１７ａは、次第に左方へ移動し、伝達部材５１６を通じて駆動力伝達部５１２ｄが左方へ移動する（図１９（ｂ）参照）。駆動力伝達部５１２ｄの移動に伴い、前側支持部材５１２は、後側支持部材５１３と一体的に後側縦軸５３２を中心として回動する。フォトセンサ５１８の溝部５１８ａから後側支持部材５１３の被検知部５１３ｈが抜け出して、表示制御装置１１４によって右側装飾体２０１が初期状態から移動したことが認識可能とされる。
【０１８０】
右側駆動モータ５１５の出力軸５１５ａが初期状態に対して平面視反時計回り方向に略３０度回動すると、図１８（ｂ）に示すように、表示装置１１２の表示面１１２ａ側に相当する中央側を向いた横回動状態となる。横回動状態に達すると、右側ベース部材５０１において前後に貫通する貫通穴の端面に相当するストッパ面に後側支持部材５１３の一部が当接し、それ以上は、後側支持部材５１３が平面視反時計回り方向側へ回動不能となる。
【０１８１】
初期状態から横回動状態となるまでは、図２１（ａ）に示すように、弾性部材５３３は、略水平状態で最大に長く伸びた状態とされる。この弾性部材５３３の弾性力によって初期状態から横回動状態となるまで右側装飾体２０１は下側部分が突出しない通常状態を維持したまま回動する。弾性部材５３３は、後側支持部材５１３に対して前側支持部材５１２を後部下側回動軸Ｊ３を中心として後側に付勢し、前側支持部材５１２は、後部下側回動軸Ｊ３を中心として最大限後側に移動した位置に配置される。また、弾性部材５３３の付勢力によって前面装飾部材５１１の下側部分が後側に移動するように付勢され、前面装飾部材５１１の下側部分おいて前側支持部材５１２側へ突出して設けられる前側ストッパ部５１１ｃが、前側支持部材５１２の前面側における下側部分に当接することで弾性部材５３３の付勢力が支持される。
【０１８２】
ここで、前面装飾部材５１１の回動動作について詳細に説明する。前側支持部材５１２の前側には、前面下側回動軸Ｊ２を中心として前面装飾部材５１１が回動可能に取り付けられ、この前面装飾部材５１１は、連結部材５１４を介して後側支持部材５１３に接続されている。すなわち、前面装飾部材５１１は、連結部材５１４の両端部に相当する前面上側回動軸Ｊ１および後部上側回動軸Ｊ４と、前側支持部材５１２の上下方向における両端部に相当する前面下側回動軸Ｊ２および後部下側回動軸Ｊ３とによって２本のリンク部材で移動可能に支持された状態とされている。この２本のリンク部材で支持された前面装飾部材５１１は、２本のリンク部材の支点間の距離に相当する前面上側回動軸Ｊ１および後部上側回動軸Ｊ４間の距離と、前面下側回動軸Ｊ２および後部下側回動軸Ｊ３間の距離が後者が長い設定とされている。このため、前面装飾部材５１１は、前側支持部材５１２の回動動作に対して下側部分の移動量が大きなものとなり、後側支持部材５１３に対する前側支持部材５１２の回動動作に伴い、前面装飾部材５１１の下側部分が前後に移動することとなる。
【０１８３】
横回動状態に対して更に右側駆動モータ５１５の出力軸５１５ａが平面視反時計回り方向側に回動すると、図１８（ｃ）に示すように、伝達部材５１６を通じて前側支持部材５１２の駆動力伝達部５１２ｄは更に左方へ移動する。後側支持部材５１３は既に動作不能な位置まで回動しており、この状態からは、弾性部材５３３の付勢力に抗して駆動力伝達部５１２ｄが左方へ移動する。
【０１８４】
伝達部材５１６の左側端部（駆動力伝達部５１２ｄとの接続部）は、図２１（ｂ）に示すように、後部下側回動軸Ｊ３を中心に上方へ移動しつつ左方へ移動する。このとき、伝達部材５１６の両端部における接続は、略球形状の駆動力伝達部５１２ｄおよび出力側伝達部５１７ａとに対する内面球形状のボールジョイントによって接続されているため、前側支持部材５１２の回動動作として回動軸が縦方向に延びた後側縦軸５３２から横方向に延びた後部下側回動軸Ｊ３とされて伝達部材５１６が側面視において傾斜しても、右側駆動モータ５１５の駆動力を簡易な構造で前側支持部材５１２に伝達することができる。
【０１８５】
後部下側回動軸Ｊ３を中心に前側支持部材５１２が回動すると、その回動に伴い、前面装飾部材５１１は、下側部分を突出させるようにして動作する。このとき、前面装飾部材５１１の上側端部は、次第に右側に移動するように、リンク機構の支点間の長さが設定され、これにより、前面装飾部材５１１の動作としては、大きな動作としつつも、表示装置１１２の表示面１１２ａの表示内容は、遊技者から視認可能とし、例えば、表示面１１２ａに成立役が示唆されたり、成立役に対応した複数のリール１０２の停止順序が示唆される等した場合に、その表示内容を遊技者が視認し易く設定されている。
【０１８６】
前側支持部材５１２の回動に伴い、弾性部材５３３は次第に縮められ、右側駆動モータ５１５の駆動量が、図２１（ｂ）に示すように、前側突出状態に対応した駆動量に達する
ことで、右側駆動モータ５１５の出力軸５１５ａの回動が停止し、右側装飾体２０１は、前側突出状態となる。この駆動量の制御は、フォトセンサ５１８によって初期状態を検知した状態からの右側駆動モータ５１５の出力軸５１５ａの回動量を制御することにより行われる。
【０１８７】
右側装飾体２０１が前側突出状態から初期状態に戻る場合には、図１８（ｃ）に示す前側突出状態に対して右側駆動モータ５１５の出力軸５１５ａが平面視時計回りに回動するように表示制御装置１１４によって制御される。右側駆動モータ５１５の駆動力は、伝達部材５１６を介して駆動力伝達部５１２ｄを右側に移動するように伝達され、図１８（ｂ）に示す横回動状態を経て初期状態まで右側装飾体２０１の状態が復帰する。フォトセンサ５１８の溝部５１８ａ内に後側支持部材５１３の被検知部５１３ｈが配置されると、初期状態に達したことが表示制御装置１１４によって認識され、右側駆動モータ５１５の出力軸５１５ａの回動が停止して右側装飾体２０１の動作が終了する。
【０１８８】
上記した右側装飾体２０１および中央装飾体２０２は、以下のような状況で動作する。例えば、スタートレバー１５１が操作されて遊技が開始される前には通常状態（図５（ａ）参照）とされ、スタートレバー１５１が操作された後に予め設定した条件が成立すると最大に移動した状態とされる。例えば、スタートレバー１５１が操作された後の抽選にてビッグボーナスに当選した場合に５０％の確率で右側装飾体２０１が最大移動状態（図５（ｂ）参照）とされ、ビッグボーナスに落選した場合に０．１％の確率で最大移動状態とされ、遊技者が全てのストップボタン１５３Ｌ〜１５３Ｒを停止操作し終わると通常状態に復帰する。このように、所定の役に当選した場合と当選しない場合とで、右側装飾体２０１の移動させる確率を異ならせることで、ビッグボーナスの入賞を遊技者に期待させる演出として表示装置１１２の表示面１１２ａにおける演出に加えて、又は当該演出に代えて右側装飾体２０１の動作による演出を遊技者に視認させることができる。所定の役に当選した場合と当選しない場合とで右側装飾体２０１の移動確率を異ならせて設定することで、所定の役の入賞期待度を変化させることができる。同様に中央装飾体２０１の動作を制御することによって、中央装飾体２０１においても、役の入賞を遊技者に期待させる演出とすることができる。
【０１８９】
ここで、右側装飾体２０１および中央装飾体２０２は、必ずしも個別に動作させる必要はなく、同時に動作させても良いし、その移動量についても必ずしも最大移動状態となるまで右側装飾体２０１および中央装飾体２０２を動作させる必要はなく、通常状態と最大移動状態との間の途中部分まで動作させ、その後に通常状態に戻るように右側装飾体２０１および中央装飾体２０２のいずれか又は両方を動作制御しても良い。すなわち、右側装飾体２０１および中央装飾体２０２の移動量、移動速度、移動回数、又はそれらの組合せ動作を、入賞が成立した役の種類や入賞、入賞の期待度に応じて異ならせることで、入賞成立役の予告または期待度を遊技者に示唆することができ、また、入賞成立後に右側装飾体２０１および中央装飾体２０２を動作させて入賞成立を示唆する演出とすることもできる。例えば、ビッグボーナスの入賞期待度の高い場合に中央装飾体２０２が動き、それに比べて中央装飾体２０２が動かずに右側装飾体２０１が動く場合には、期待度が低くなるようにする等、動作させる対象を変化させることで、ビッグボーナスの入賞期待度を遊技者に示唆することができる。なお、これらの制御については、主制御装置４１の抽選結果を表示制御装置１１４が受信し、表示制御装置１１４によるモータ２５４，５１５の制御によって実現できるものであり、一般的な制御であるため、制御についての詳細な説明は省略するが、表示制御装置１１４でのモータ２５４，５１５の制御に代えて、主制御装置４１等の他の制御装置で制御するなど、一般的な他の制御でモータ２５４，５１５を制御しても良い。
【０１９０】
このように、スロットマシン１０の右側ユニット２２３は、縦方向に延びる後側縦軸５
３２および横方向に延びる各回動軸Ｊ１〜Ｊ４を中心として動作する右側装飾体２０１と、右側装飾体２０１が動作するための駆動力を発生する右側駆動モータ５１５と、右側駆動モータ５１５によって発生した駆動力を右側装飾体２０１を構成する各構成部材５１１〜５１４に伝達する伝達部材５１６おおよび出力軸部材５１７を備えている。また、右側装飾体２０１は、その前面部分に対して前側とは逆側となる後側に設けられる後側縦軸５３２を中心として、初期状態に対応した第１位置と、その位置に対して右側装飾体２０１の前面部が左側方側を向いた第２位置との間を回動可能に設けられる後側支持部材５１３と、後側支持部材５１３に支持される部材であって、後側縦軸５３２に沿った右側装飾体２０１の前面部における下側の端部において後側縦軸５３２の軸方向と交差する横方向（水平方向）に沿った後部下側回動軸Ｊ３を中心として、右側装飾体２０１の表面側に相当する前面とは逆側となる裏面側に配置されて下側部分が突出していない通常状態に対応した後側位置と、該後側位置に対して前記右側装飾体２０１を構成する前側支持部材５１２の上側部分を右側装飾体２０１の表面側に突出させた前側突出状態に対応する前側位置との間を動作可能に設けられる前側支持部材５１２と、後側支持部材５１３によって支持された前側支持部材５１２を後側位置側へ付勢する付勢力を発生する弾性部材５３３とを有している。
【０１９１】
このため、右側装飾体２０１は、その前面部に対して後側縦軸５３２を中心として回動し、右側装飾体２０１の前端部分を前側に突出させることなく、右側装飾体２０１の向きを変化させることができる。また、その向きが変化した第２位置となった状態においては、右側装飾体２０１の少なくとも一部が後側位置から前側位置へ変位するので、右側装飾体２０１の前面部分が左側方側を向いた状態にしてから右側装飾体２０１の前面部が表面側に突出することとなり、右側装飾体２０１の動作を大きく設定しつつ、右側装飾体２０１の動作に要する機構部分としての右側ユニット２２３の前後幅は少なく抑えることができる。
【０１９２】
ここで、右側装飾体２０１が設けられる右側ユニット２２３としては、図１８（ａ）に示すように、前面装飾部材５１１における一番前側に位置する部位の後側に後側縦軸５３２が設けられている。また、後側縦軸５３２を中心として前面装飾部材５１１の一番前側に位置する部位までの長さを半径とする仮想円を作成した場合には、その仮想円内に前面装飾部材５１１における平面視右側部分が入る形状に前面装飾部材５１１および前側支持部材５１２が形成されている。このため、後側縦軸５３２を中心として右側装飾体２０１が回動しても、右側装飾体２０１が前側に突出することがなく、前面装飾部材５１１の初期状態における前端部分に、その前側に設けられる窓パネル部１３１の裏面側を近接させて配置することができる。
【０１９３】
弾性部材５３３および駆動力伝達部５１２ｄは、右側装飾体２０１の裏面側における後部下側回動軸Ｊ３に近い側にて後部下側回動軸Ｊ３の軸方向に沿って並んで配置されている。このため、駆動力伝達部５１２ｄとしては、少ない変位量でも、後部下側回動軸Ｊ３を中心とした前側支持部材５１２の回動量を大きくして前側位置と後側位置との間を大きな動作で切り替え可能とし、弾性部材５３３の設置スペースも回動軸に近い分少なく抑えることができる。また、後側縦軸５３２より前側にて駆動力伝達部５１２ｄの方が弾性部材５３３より後側縦軸５３２に近い位置に配置されるので、後側縦軸５３２を中心とした回動動作も少ない駆動力伝達部５１２ｄの移動量で大きく動作させることができ、後側縦軸５３２の後側部分の部品スペースを確保しつつ回動動作に必要な伝達部材等の可動範囲を小さくして他の装飾部品を配置しやすいものとすることができる。
【０１９４】
右側駆動モータ５１５の出力軸５１５ａは、後側縦軸５３２と略平行の縦方向で後側縦軸５３２より前側に配置し、その出力軸５１５ａに出力軸部材５１７が接続され、伝達部材５１６も後側縦軸５３２より前側にて前側支持部材５１２と接続される。このため、右
側駆動モータ５１５および出力軸部材５１７を後側縦軸５３２に対して前側に配置して右側装飾体２０１の動作機構を構成する装置を小型に形成することができる。また、初期状態においては、図１８（ａ）に示すように、右側駆動モータ５１５の出力軸５１５ａの前側部分に右側装飾体２０１の右側端部が配置され、右側装飾体２０１の右後ろ側に右側駆動モータ５１５や出力軸部材５１７および伝達部材５１６が配置されているので、初期状態における右側ユニット２２３を小型に形成することができ、表示装置１１２の表示面１１２ａの前側に相当する左側部分の空間を広く確保することができる。
【０１９５】
右側装飾体２０１が設けられる右側ユニット２２３は、図７に示すように、右側ベース部材５０１によって右側駆動モータ５１５等を含む右側装飾体２０１の動作機構が一体化して支持されているので、装飾部の動作機構を構成する装置の取付等の管理を容易にすることができる。また、右側ユニット２２３として、図１８（ｃ）に示すように、後側縦軸５３２を支持する部位の後側には、部品を配置する必要がなく、後側縦軸５３２の後側における左右方向に延びる仮想線Ｌよりも後側に別の動作部材として、中央装飾体２０２を構成する右側動作部材２３３を配置し易くすることができる。右側動作部材２３３は、下側ユニット２２４からの照射光によって発光する構成とされているため、右側動作部材２３３自体の発光部を設ける必要がなく、前後に薄く形成することができるので、表示装置１１２の表示面１１２ａと、その前面側に位置する窓パネル部１３１との間部分における限られた空間に、複数の動作部材を前後に重ねて配置することができ、遊技者に対して多彩な演出を提供することができる。
【０１９６】
更に、右側装飾体２０１が設けられる部分は、前後幅が必要になる部分であり、その前後方向において重なる部分に下側ユニット２２４を配置し、中央装飾体２０２を発光させる装飾体発光部４０４および上側表示ユニット２００の下側部分を装飾する上面発光部４０３を配置することができるので、表示用開口部２１１の周りの空間を有効活用することができる。
【０１９７】
なお、本発明は、上記実施形態に限られることはなく、例えば、以下に記載するように変形して実施しても良い。この場合に、以下に記載する各構成を上記実施形態に対して適用しても良く、以下に記載する複数の構成を組み合わせて上記実施形態に対して適用しても良い。
【０１９８】
上記実施形態においては、上側表示ユニット２００を前側から視認可能とする透光性を有する材料で形成されたカバー部材としての窓パネル部１３１は、透明樹脂により構成したが、窓パネル部１３１は、無色透明または有色透明のいずれであっても良いし、表面又は裏面にアルミのハーフ蒸着等の表面処理が施されることで、表示装置１１２や表示用開口部２１１が明るく発光した場合に限って上側表示ユニット２００が前側から視認可能とされる構成としても良い。
【０１９９】
上記実施形態においては、装飾体発光部４０４によって光が照射されることとなる中央装飾体２０２は、装飾体発光部４０４によって光が照射される状態と、光が照射されない状態とを形成可能な動作部材として構成したが、必ずしも動作部材として構成する必要はなく、装飾体発光部４０４によって光が照射される位置に常時配置されるように位置が固定された部材で装飾体を構成しても良い。また、装飾体発光部４０４によって光が照射される装飾体の位置についても必ずしも上側表示ユニット２００の正面中央部に位置して光が照射される構成とする必要はなく、装飾体発光部４０４を上側表示ユニット２００の中央でなく、左右のいずれか一方側に配置し、その位置から光が照射される領域に装飾体を配置する等、他の位置に配置しても良いし、その装飾体に対しての光の照射方向も上側に限らず、左右方向、斜め方向等、別方向に設定しても良い。
【０２００】
上記実施形態においては、ステッピングモータによって中央装飾体２０２および右側装飾体２０１が動作する構成としたが、必ずしもステッピングモータにより各装飾体２０１，２０２を動作させる構成とする必要はなく、ＤＣモータやソレノイド等の他の動力発生機によって各装飾体２０１，２０２を動作させる構成としても良い。また、各装飾体２０１，２０２の動作において付勢力を付与するプーリ付勢バネ２３７および弾性部材５３３は、必ずしも上記したコイルバネを圧縮させた状態で取り付けて構成する必要はなく、引張りバネやねじりバネ或いはゴム等の他の形式による弾性体により構成しても良いし、重力を利用した錘を用いて付勢力を発生させる構成としても良い。
【０２０１】
上記実施形態においては、プーリ支持部材２３６およびプーリ付勢バネ２３７によってベルト２５１が伸張される方向側へ支持用プーリ２５３を移動可能に支持することで、少ない駆動力で左右の動作部材２３２，２３３を移動可能とし、また、左右の動作部材２３２，２３３の衝突力を抑制することとしたが、必ずしも、ベルト２５１が伸張される方向側へ支持用プーリ２５３を移動可能に支持する構成とする必要はなく、ベルト２５１の一部に相当する左右の動作部材２３２，２３３のベルト取付部３１２，３２２の間の区間であって支持用プーリ２５３に掛けられる側の区間の一部の材質を、他の部位より弾性係数が低く変形し易い柔らかなゴム材料等で形成しても良いし、左側動作部材２３２のベルト取付部３１２の正面右側に近い位置にベルト２５１の長手方向に沿って弾性変形可能なコイルバネ等の弾性部材を介してベルト２５１の両端を接続して構成しても良い。
【０２０２】
上記実施形態においては、出力用プーリ２５２と支持用プーリ２５３の２カ所でベルト２５１を支持する構成としたが、支持用プーリを更に設けて３カ所以上でベルト２５１を支持する構成としても良く、また、ベルト２５１を必ずしも回転体によって支持する必要はなく、円柱状の部材を回動不能に配置し、支持部に対してベルト２５１の表面が滑るようにしてベルト２５１を支持する構成としても良い。
【０２０３】
上記実施形態においては、中央装飾体２０２においては記章を模した対象物の装飾、右側装飾体２０１においてはペガサスを模した対象物の装飾を動作部材として可動する構成としたが、動作部材の装飾は、上記対象物を模したものに限らず、他の動物等のキャラクタを模したものとしても良いし、対象物とするのは、１体に限らず、中央装飾体２０２において、多数の魚が正面から見て左側を向いた魚の群れを模した対象物を中央装飾体２０２または右側装飾体２０１のいずれか又は双方において表示しても良く、この場合であっても装飾体が向く方向とは、対象物自体が向いている方向でなく、装飾体の表示面が向く前方側が装飾体が向く方向とする。
【０２０４】
上記実施形態においては、右側装飾体２０１を複数の軸で回動動作させるための駆動力の伝達構造として、伝達部材５１６の両端部における接続構造は、ボールジョイントに限らず、複数の軸支部分を組み合わせた自在継手（いわゆるユニバーサルジョイント）等、他の接続構造を採用しても良い。
【０２０５】
上記実施形態においては、中央装飾体２０２が通常状態においては遊技者から視認不能とされ、最大移動状態で遊技者から視認可能とされていたが、通常状態において中央装飾体２０２の少なくとも一部が視認可能な大きさおよび配置としても良い。また、上記実施形態においては、左右方向に移動するように中央装飾体２０２を構成する左右の動作部材２３２，２３３を設けたが、移動方向は、左右方向に限らず、上下、斜め、前後方向のいずれかとしても良いし、円弧状、または、曲線的に支持軸を形成し、直線的な移動でなく、曲線的な移動となるようにしても良い。また、必ずしも移動する構成とする必要はなく、各動作部材２３２，２３３を一部を支点として、例えば、通常状態における下側部分を支点として回動するように回動軸を設けて各動作部材２３２，２３３を変位可能としても良い。
【０２０６】
上記実施形態においては、スロットマシン１０に中央装飾体２０２および右側装飾体２０１を有する上側表示ユニット２００を設けたが、中央装飾体２０２および右側装飾体２０１を有する表示ユニットをパチンコ遊技機に設けても良く、例えば、図柄を表示する液晶表示装置等の表示装置の前側に上記表示ユニット１１１を取り付けて、大当たり期待度を示唆する演出として中央装飾体２０２および右側装飾体２０１を動作させても良い。また、パチンコ遊技機として、複数種類の大当たりが設定され、一部の大当たりに当選すると次回の大当たりまで大当たり確率が高確率とされる確率変動機能を有するパチンコ機に上側表示ユニット２００を設けて、大当たりの種類に対応した期待度を示唆する演出として中央装飾体２０２および右側装飾体２０１を動作させても良い。また、中央装飾体２０２を他の遊技機に設ける場合に、上記した装飾体発光部４０４を有する上面発光部４０３によって装飾体を発光させることが好ましい。
【０２０７】
本発明を他のパチンコ機等に実施しても良い。例えば、一度大当たりすると、それを含めて複数回（例えば２回、３回）大当たり状態が発生するまで、大当たり期待値が高められるようなパチンコ機として実施しても良い。また、大当たり図柄が表示された後に、所定の領域に球が入賞することを必要条件として特別遊技状態となるパチンコ機として実施しても良い。また、大当たり等の抽選機能のないいわゆる普通機として採用されても良い。球が所定の入賞口に入ることで特別遊技状態となるパチンコ機として実施しても良い。また、球が循環する封入式のパチンコ機に実施しても良い。さらに、パチンコ機以外にも、アレンジボール型パチンコ、雀球、いわゆるパチンコ機とスロットマシンとが融合した遊技機等の各種遊技機として実施するようにしても良い。
【０２０８】
遊技における抽選結果の表示態様として、始動条件が成立して変動が開始された後に停止表示される抽選結果に対応した情報（識別情報）としては、上記したスロットマシン１０と同様に、モータ等により回転するリールの外周面に複数の図柄が表示された構造体に付された図柄を１つまたは複数組み合わせて構成される識別情報としても良く、液晶表示装置に表示される図柄や絵柄を１つ又は複数組み合わせた情報であっても良く、単一あるいは複数の発光体で構成される図柄表示装置の発光態様によって遊技者が当否を識別可能な単一または複数の発光体の発光態様による情報であっても良い。遊技者に付与される遊技価値は、スロットマシン１０における当選やパチンコ機における入賞に対応した有価物体として払い出されるパチンコ球やメダルであっても良いし、封入式のパチンコ機等において当選や入賞に対応して記憶媒体に記憶される情報としての価値であっても良い。
【０２０９】
パチンコ機とスロットマシンとが融合した遊技機の具体例としては、複数の図柄からなる図柄列を変動表示した後に図柄を確定表示する可変表示手段を備えており、球打出用のハンドルを備えていないものが挙げられる。この場合、所定の操作（ボタン操作）に基づく所定量の遊技球の投入後、例えば操作レバーの操作に起因して図柄の変動が開始され、例えばストップボタンの操作に起因して、あるいは、所定時間経過することにより、図柄の変動が停止され、その停止時の確定図柄がいわゆる大当たり図柄であることを必要条件として遊技者に有利な大当たり状態が発生させられ、遊技者には、下部の受け皿に多量の球が払い出されるものである。
【０２１０】
以下、上記した実施形態から抽出される発明群の特徴について、必要に応じて効果等を示しつつ説明する。なお以下においては、理解の容易のため、上記各実施形態において対応する構成を括弧書き等で適宜示すが、この括弧書き等で示した具体的構成に限定されるものではない。また、各特徴に記載した用語の意味や例示等は、同一の文言にて記載した他の特徴に記載した用語の意味や例示として適用しても良い。
【０２１１】
＜特徴Ａ群＞
遊技機の一種として、例えば、スロットマシンにおいては、始動操作が行われることにより入賞する役の抽選等、各種の抽選が制御装置により行われ、抽選結果に応じた停止図柄が停止する。そして、この停止図柄に応じた特典が遊技者に付与されるため、遊技者は高価値の抽選結果を期待して遊技を行うこととなる。始動操作が行われてから図柄が停止するまでの間には、抽選結果に応じた色でリールの周りが発光したり、液晶表示装置に停止図柄の内容に対応した絵柄を表示したりして遊技者に抽選結果を期待させる演出が行われる。この演出の一部として静止状態の装飾体を発光させ、または、モータ等により動作する動作部材によって構成される装飾体を遊技者から視認可能な位置に配置して、この動作部材の動作を演出に付加することで遊技者を驚かせ、その後の結果に対する期待感を高揚させる演出が行われている（例えば、特開２００８−１７３１６６号公報参照）。
【０２１２】
しかしながら、遊技者によって視認可能な位置に配置される動作部材等の装飾体の前面を装飾するためには、装飾体の前側から光を照射して発光させることが好ましいものの、装飾体の端部まで光を十分に照射しようとするとコストが増大してしまうという問題点があった。
【０２１３】
＜特徴Ａ１＞
始動条件が成立した場合に変動が開始される識別情報が所定の態様で停止した場合に遊技者に遊技価値が付与される遊技機（スロットマシン１０）において、
遊技者が位置する前側より視認可能な装飾部（中央装飾部２８１）と、
該装飾部の前側に設けられる透光性を有する材料で形成されたカバー部材（窓パネル部１３１）と、
該カバー部材と前記装飾部との間部分において該装飾部の前側に重ならない側方側における内面の一部を形成して前記装飾部側に照射される光が通過する第１発光部（装飾体発光部４０４）と、
該第１発光部を介して前記装飾部に向けて光を照射する第１発光手段（装飾体発光用ＬＥＤ４４４）とを備え、
該第１発光手段は、前記装飾部における前記第１発光手段の前記第１発光部に近い一部で形成される近距離部と、前記装飾部における前記第１発光部から離れた側の一部で形成される遠距離部との間部分に向けて照射方向が設定され、
前記第１発光部は、
前記装飾体および前記第１発光部が切断される断面視において前記側方側とは反対側となる内方側を向いた面であって前記後側に傾斜した傾斜面部によって形成され、
該傾斜面部として、前記第１発光手段の照射方向側を基準とした場合に前側に位置する前側装飾発光面部（装飾体上部発光面４６１）と、
該前側装飾発光面部に対して後側にて該前側装飾発光面部より前後方向における表面長さが短く設定されると共に、前記第１発光手段の照射方向側を基準とした場合における前記前側装飾発光面部より後側に向くように傾斜して形成された後側装飾発光面部（装飾体下部発光面４６２）と、を有していることを特徴とする遊技機。
【０２１４】
特徴Ａ１記載の遊技機によれば、コスト増を抑えつつ、装飾部に対して好適に光を照射することができる。すなわち、第１発光手段によって発光された光は、１の発光手段によって装飾部において遠い側に位置する遠距離部と、近い側に位置する近距離部との双方を照射される。この場合に、第１発光部において内方側を向いた面は後側に傾斜して設けられ、後側に位置する後側装飾発光面部は、前側装飾発光面部より更に後側に傾斜して形成されている。このため、近距離部に多くの光を照射し易くすることができ、近距離部における発光を遊技者にとって視認し易いものとしている。また、後側装飾発光面部の方が、前側装飾発光面部より前後方向における表面長さが短く設定されているので、遠距離部と近距離部との輝度の差を少なくすることができる。しかも、これら装飾発光面部として、遊技機の機種イメージに合わせた装飾が表面に施されずに機能を優先した形状としても、
遊技者からは視認しにくいものとなる。よって、機種イメージを損なうことなく、好適な照明機能を実現することができる。
【０２１５】
＜特徴Ａ２＞
前記装飾部より前側であって前記第１発光部の後側端部より後側にて前記内方側を向いた面であって前記前側に傾斜した第２発光部（上面発光部４０３）と、
該第２発光部を基準として前記内方側とは逆の外方側に設けられて前記第２発光部を発光させる光を照射する第２発光手段（上面発光用ＬＥＤ４４３）と、
前記第１発光手段が搭載され、前記内方側であって後側に傾斜して設けられる第１発光基板（上側発光基板４１５）と、
該第１発光基板に対して前記外方側にて前記第１発光基板より後側に傾斜しない状態にして設けられ、前記第２発光手段が搭載される第２発光基板（下側発光基板４１６）とを備えていることを特徴とする特徴Ａ１記載の遊技機。
【０２１６】
特徴Ａ２記載の遊技機によれば、後側に傾斜して形成されている第１発光部の後側端部より後側にて前側に傾斜した第２発光部が設けられているため、その後側に設けられる第２発光部の装飾部分を広く形成して、前面側から視認した場合における装飾を機種のイメージに合致したものとすることができる。
【０２１７】
また、第１発光手段が搭載される第１発光基板は後側に傾斜して設けられ、第２発光手段が搭載される第２発光基板は第１発光基板より後側に傾斜しない状態にして設けられるので、発光基板の板面に垂直な方向に光を照射する発光手段を用いて、第１発光手段によって装飾部に光を照射し、第２発光手段によって第２発光部を介して遊技者に光の装飾を視認し易いものとすることができる。
【０２１８】
さらに、第１発光基板に対して第２発光基板が外方側に設けられるので、第１発光基板に設けられる第１発光手段は装飾部に少しでも近づけて配置しつつ、第２発光基板に設けられる第２発光手段は第２発光部との距離を離間させて第２発光手段からの光を広範囲に拡散させることができ、少ない発光手段によって第２発光部を均一に近い状態にして発光させることができる。
【０２１９】
なお、特徴Ａ２に記載の「第1発光基板より後側に傾斜しない状態にして設けられ」とは、後側に傾斜しつつ第1発光基板より内方側を向く場合に限らず、前側に傾斜する場合を含む。
【０２２０】
＜特徴Ａ３＞
前記第１発光部の前側端部の前側には、前後方向に延びる形状に形成された前側延出部（前側カバー部材４１１の上面部分）が設けられ、
前記第２発光基板には、前記内方側からの方向視において、
前記第１発光基板の後側端縁より後側に前記第２発光手段が搭載されると共に、
前記第１発光基板の前側端縁より前側であって該前側延出部に重なる位置において前記前側延出部側に向けて光を照射する第３発光手段（前面発光用ＬＥＤ４４１，４４２）が搭載され、
前記前側延出部と前記第２発光基板との間部分であって前記第１発光基板の前側には、前記第３発光手段によって照射された光を前方側に向けて照射する照射方向変更部材（区画部材４１３）が設けられていることを特徴とする特徴Ａ２記載の遊技機。
【０２２１】
特徴Ａ３記載の遊技機によれば、第２発光基板が設けられる箇所を遊技者が前側から視認した場合、第３発光手段によって照射されて照射方向変更部材によって前側に反射された光を遊技者に視認させることができ、第２発光基板の前側部分に光の装飾を施すことが
できる。また、第３発光手段の照射方向を前側としないで前側延出部側とし、照射方向変更部材によって前側に反射させることにより、第３発光手段から照射されたが前側に照射される場合における光の経路を長く設定することができ、拡散が必要な箇所においては、より広い光の拡散によって少ない発光手段で広範囲の領域を均一に近い状態で発光させつつ、前側延出部と第３発光手段との距離及び前側延出部の前後長さを短く設定して、第３発光手段によって前面側を発光させるために必要な領域を少なくすることができる。
【０２２２】
＜特徴Ａ４＞
前記装飾部は、前記前側より視認した場合に前記第１発光部が配置される側方側に対して交差する交差方向側に所定の幅を有する形状に形成され、
前記第２発光部は、前記第１発光部より前記交差方向に沿った両側に長く形成されると共に、前記第１発光部に対して前記交差方向側に位置する形状となるように前側に突出した形状に形成されていることを特徴とする特徴Ａ２又はＡ３記載の遊技機。
【０２２３】
特徴Ａ４記載の遊技機によれば、第２発光部が発光した場合に第１発光部を囲うようにして前側に向けた光を照射することができ、第１発光部の存在をより遊技者が認識し難い状態にして、機種イメージに対応した装飾を施し易くすることができる。
【０２２４】
＜特徴Ａ５＞
前記装飾部は、前側より視認した場合に前記第１発光部が配置される側方側に対して交差する交差方向側に所定の幅を有する形状に形成され、
前記第１発光手段は、前記交差方向側に沿って並んで複数設けられ、
前記第１発光部は、少なくとも前記所定の幅以上または略同等の長さを有して前記交差方向側に対して一定の断面形状で形成されていることを特徴とする特徴Ａ１からＡ４のいずれかに記載の遊技機。
【０２２５】
特徴Ａ５記載の遊技機によれば、第１発光手段が並んで設けられる交差方向側に沿って第１発光部が一定の断面形状で形成されているため、装飾部の幅全域にわたって均一に近い状態で光を照射して装飾部の全体に十分な光の装飾を施すことができる。
【０２２６】
＜特徴Ｂ群＞
遊技機の一種として、例えば、スロットマシンにおいては、始動操作が行われることにより入賞する役の抽選等、各種の抽選が制御装置により行われ、抽選結果に応じた停止図柄が停止する。そして、この停止図柄に応じた特典が遊技者に付与されるため、遊技者は高価値の抽選結果を期待して遊技を行うこととなる。始動操作が行われてから図柄が停止するまでの間には、抽選結果に応じた色でリールの周りが発光したり、液晶表示装置に停止図柄の内容に対応した絵柄を表示したりして遊技者に抽選結果を期待させる演出が行われる。この演出の一部としてモータ等により動作する動作部材を遊技者から視認可能な位置に配置して、この動作部材の動作を演出に付加する機種が知られており、大型の動作部材として左右両側等の複数の方向側から扉状の部材を近づけて液晶表示装置の前側を閉鎖する演出を素早く実行することで遊技者を驚かせ、その後の結果に対する期待感を高揚させる演出が行われている（例えば、特開２００８−１７３１６６号公報参照）。
【０２２７】
しかしながら、動作部材が大型化され、又はその動作範囲が広く設定される等した場合には、性能の高い動力発生機が必要になって部品コストが増大するという問題点があった。また、複数の動作部材が近づいて一端側が近接して一体化した演出を実行する場合、それらの近接部分における隙間が大きいと見栄えの悪いものとなる一方、その近接部分に隙間が無く接触する構成とされていると高速移動をした動作部材によって合わせ面が損傷する可能性があるという問題点があった。
【０２２８】
＜特徴Ｂ１＞
始動条件が成立した場合に変動が開始される識別情報が所定の態様で停止した場合に遊技者に遊技価値が付与される遊技機（スロットマシン１０）において、
所定の対象物を模した装飾体を構成する複数の動作部材（左右の動作部材２３２，２３３）と、
該複数の動作部材の一部が接触して前記所定の対象物を模した状態に対応した第１位置（最大移動状態における位置）と、該第１位置に対して前記複数の動作部材が離間した第２位置（通常状態における位置）との間を動作可能に前記複数の動作部材を支持する支持手段（ガイド軸２３４）と、
前記複数の動作部材が動作するための駆動力を発生する駆動手段（中央駆動モータ２５４）と、
前記駆動手段の駆動力によって回動する回動部材（出力用プーリ２５２）と、
該回動部材に内周面側が掛けられて前記駆動手段の駆動力によって回動する無端状の駆動伝達部材（ベルト２５１）と、
該回動部材に対して離間した位置に配置され、前記駆動伝達部材が掛けられる支持部材（支持用プーリ２５３）とを備え、
前記複数の動作部材は、
前記回動部材に対して前記駆動伝達部材が連続する方向に沿った一方側における前記支持部材に達する手前部分に相当する部位であって、前記第１位置において前記回動部材に対して前記一方側における距離が最小となる第１伝達部（ベルト取付部３２２）にて前記駆動伝達部材に接続される第１動作部材（右側動作部材２３３）と、
前記回動部材に対して前記一方側とは逆方となる他方側における前記支持部材に達する手前部分に相当する部位であって、前記第１位置において前記回動部材に対して前記他方側における距離が最大となる第２伝達部（ベルト取付部３１２）にて前記駆動伝達部材に接続される第２動作部材（左側動作部材２３２）とを有し、
前記第１動作部材は、前記第２動作部材とは別に設けられる部材の停止面（ガイド軸支持部２４６の右側面）に当接することで前記第１位置に停止し、
前記第２動作部材は、前記第１動作部材の一部に当接して前記第１位置に停止するものであり、
前記駆動伝達部材における前記第１伝達部と前記第２伝達部との間の区間であって少なくとも前記支持部材が配置される側の区間に対して前記駆動伝達部材が伸張される方向側への付勢力を発生させる付勢力発生手段（プーリ支持部材２３６、プーリ付勢バネ２３７）が設けられていることを特徴とする遊技機。
【０２２９】
特徴Ｂ１記載の遊技機によれば、複数の動作部材を用いた装飾部の見栄えが良く、部品の耐久性を高めつつ部品コストを抑えた遊技機を提供することができる。すなわち、複数の動作部材によって所定の対象物を模した第１位置においては、第１動作部材の一部に第２動作部材が当接することで第２動作部材が停止する。このため、第１動作部材と第２動作部材との間の隙間を少なくすることができ、複数の動作部材で形成される所定の対象物による装飾部の見栄えを良いものとすることができる。
【０２３０】
また、第１位置側に複数の動作部材が移動する場合には、第１動作部材には、支持部材を介すことなく駆動伝達部材によって引張力が伝達される一方、第２動作部材には、支持部材を介して回動部材の回動力に応じた引張力が伝達される。第２動作部材とは別に設けられる部材の停止面に当接することで前記第１位置に第１動作部材が停止すると、回動部材の回動力は、第１動作部材と停止面との当接によって、第１動作部材より遠い側には伝達されない。すなわち、駆動伝達部材における前記第１伝達部と前記第２伝達部との間の区間のうち、支持部材が配置される側の区間に対しては伝達されない。この支持部材が配置される側の区間に対しては、付勢力発生手段により駆動伝達部材が伸張される方向側への付勢力が生じるので、第２動作部材は、付勢力発生手段の付勢力によって第１動作部材
と当接して第１位置に停止することとなる。
【０２３１】
よって、駆動伝達部材を高いトルクで高速に駆動し、複数の動作部材を高速で移動させても、その移動に伴う駆動力が複数の動作部材が衝突する力とはならず、第２動作部材の慣性力に付勢力発生手段の付勢力による力を加えた衝突力に抑えることができる。従って、複数の動作部材の当接部分として、遊技者から視認され得る装飾体の一部を使用しても、その部位が破損する可能性が低減され、複数の動作部材によって一体的に形成される対象物の見栄えを向上しつつ、その移動速度を高速に設定して遊技者に驚きを与えやすい演出を行うことができる。
【０２３２】
しかも、回動部材の回動開始時において付勢力発生手段の付勢力以上の力が作用すると、第１動作部材または第２動作部材の一方が移動開始しつつ、他方が停止した状態となる。このため、複数の動作部材の移動開始時期がずれて、少ない駆動力でも複数の動作部材を移動させることができ、低容量の駆動手段を採用してコスト増を抑えつつ、上記した複数の動作部材同士の衝突力を抑制する機能により装飾部の見栄えを良いものとすることができる。
【０２３３】
なお、特徴Ｂ１における「第１動作部材」と「第２動作部材」の記載に代えて、または特徴Ｂ１における「第１動作部材」と「第２動作部材」の記載に加えて、第１動作部材は、第１位置側に複数の動作部材が移動する場合に支持部材を介すことなく回動部材の回動力に応じた引張力が伝達される第１伝達部にて駆動伝達部材に接続され、第２動作部材は、第１位置側に複数の動作部材が移動する場合に支持部材を介して回動部材の回動力に応じた引張力が伝達される第２伝達部にて前記駆動伝達部材に接続されるとしても良い。
【０２３４】
また、特徴Ｂ１における駆動伝達部材が伸張される方向側への付勢力を発生させるとは、駆動伝達部材の両端部に弾性体が引き延ばされた状態で長手方向に沿って取り付けられることで構成しても良いし、駆動伝達部材の経路が長くなる方向側に支持部材が移動するための弾性力を付与して駆動伝達部材が伸張される方向側への付勢力を発生させても良い。
【０２３５】
＜特徴Ｂ２＞
前記付勢力発生手段は、前記支持部材を前記駆動伝達部材が伸張される一方側と、該駆動伝達部材が弛む他方側との間を移動可能に支持する移動部材と、
該移動部材を前記一方側へ付勢する付勢力を付与する付勢手段とを備えていることを特徴とする特徴Ｂ１記載の遊技機。
【０２３６】
特徴Ｂ２記載の遊技機によれば、付勢手段によって移動部材に付勢力を付与することにより駆動伝達部材が伸張した状態とすることができ、コスト増を抑えつつ、複数の動作部材同士の衝突力を抑制する機能を付加することができる。
て、上記した
＜特徴Ｂ３＞
前記第２動作部材は、前記第１位置に配置された場合に前記第１動作部材の一部に当接する当接部を、遊技者から視認可能な装飾部の一部に有していることを特徴とする特徴Ｂ１またはＢ２記載の遊技機。
【０２３７】
特徴Ｂ３記載の遊技機によれば、第１動作部材の一部に当接する当接部が遊技者から視認可能な装飾部の一部に設けられているため、当接によって位置合わせされる部位と、装飾部との位置を近づけて配置することができ、製品成形時等における部品寸法のバラツキにより合わせ部分に隙間が生じることを抑制して見栄えを良くすることができる。
【０２３８】
なお、特徴Ｂ３に記載の「装飾部の一部に有している」とは、装飾部の背面側に設けられる部位であって、前側から視認できない位置であっても良い。
【０２３９】
＜特徴Ｂ４＞
前記第２動作部材は、前記第１位置に配置された場合に前記第１動作部材に対して遊技者が視認する側となる前側部分に重なるように前記第１動作部材側に突出する前側突出部（突出模様部２８３ａ）を有し、該前側突出部の後側に前記当接部が設けられていることを特徴とする特徴Ｂ３に記載の遊技機。
【０２４０】
特徴Ｂ４記載の遊技機によれば、第２動作部材に前側突出部が設けられ、第２動作部材は衝突力が抑制された部材であるので、第１動作部材との衝突時に前側突出部が受ける衝撃力の影響を少なくすることができ、破損し難いものとすることができる。よって、前側突出部はデザインを重視して薄肉あるいは細幅に形成しても破損しにくい部位となり、この部位で第１動作部材の一部を覆う広範囲の装飾を施すことにより、デザインの自由度を高めて見栄えの良い装飾体とすることができる。
【０２４１】
＜特徴Ｂ５＞
前記第１動作部材の一部が検知範囲に位置するか否かによって前記第２位置に前記第１動作部材が配置されているか否かを検知する検知手段（フォトセンサ２５５）と、
前記第２位置に達した前記第１動作部材の一部に当接して前記第１動作部材を前記第２位置に停止させる第２位置側停止部（ストッパ部２４７）と、
前記第２位置から外れた位置より前記第２位置側に動作する前記第１動作部材が前記検知手段によって検知された場合に前記駆動手段の駆動を停止する駆動制御手段（表示制御装置１１４）とを備え、
前記第２動作部材は、前記第１動作部材の停止に伴い前記駆動伝達部材の回動が停止することによって前記第２位置に停止することを特徴とする特徴Ｂ１からＢ４のいずれかに記載の遊技機。
【０２４２】
特徴Ｂ５に記載の遊技機によれば、第２動作部材は、第１動作部材の停止に伴い駆動伝達部材の回動が停止することによって第２位置に停止することとなる。このため、第２位置への停止時においても、第１動作部材のみに衝突力が発生し、第２動作部材は、他の部材と衝突することがない。また、第１動作部材の停止直後には、付勢力発生手段の付勢力によって第２動作部材は第１動作部材と同時停止しないで時間をかけて停止状態へと遷移する。よって、第２動作部材に対しての衝撃力を少なくして第２動作部材に対してのデザインの自由度を高める等の第１動作部材とは別の機能を付加することができる。
【０２４３】
また、第１動作部材は、第１位置において回動部材に対して一方側における距離が最小とされているので、第２位置においては回動部材から離間した位置に配置される。このため、第２位置に配置された第１動作部材の位置を検知する検知手段と、その第１動作部材に当接する第２位置側停止部とは、回動部材から離間して設けることができる。よって、回動部材に近い側には駆動手段等を配置しつつ、検知手段等は他の位置に分散して配置することができ、駆動伝達部材の設置領域に対して全域にわたって小型に駆動伝達部材に関する部材を配置して全体として一部が突出しない小型な装置構成とすることができる。
【０２４４】
＜特徴Ｃ群＞
遊技機の一種として、例えば、スロットマシンにおいては、始動操作が行われることにより入賞する役の抽選等、各種の抽選が制御装置により行われ、抽選結果に応じた停止図柄が停止する。そして、この停止図柄に応じた特典が遊技者に付与されるため、遊技者は高価値の抽選結果を期待して遊技を行うこととなる。始動操作が行われてから図柄が停止するまでの間には、抽選結果に応じた色でリールの周りが発光したり、液晶表示装置に停
止図柄の内容に対応した絵柄を表示したりして遊技者に抽選結果を期待させる演出が行われる（例えば、特開２００８−１７３１６６号公報参照）。
【０２４５】
しかしながら、抽選結果を期待させる演出を実行する装飾装置を設けるスペースには制限があり、その限られたスペースで見栄えの良い装飾を施すことが難しいという問題点があった。
【０２４６】
＜特徴Ｃ１＞
始動条件が成立した場合に変動が開始される識別情報が所定の態様で停止した場合に遊技者に遊技価値が付与される遊技機（スロットマシン１０）において、
遊技者が位置する前側より視認可能であって所定の対象物を模した装飾部を表面側に形成する部材であって複数の回動軸を中心として動作する動作手段と、
該動作手段が動作するための駆動力を発生する回動駆動手段（右側駆動モータ５１５）と、
該駆動手段によって発生した駆動力を前記動作手段に伝達する伝達部材（伝達部材５１６および出力軸部材５１７）とを備え、
前記動作手段は、前記装飾部に対して前記前側とは逆側となる後側に設けられる第１回動軸を中心として、第１位置と、該第１位置に対して前記装飾部が側方側を向いた第２位置との間を回動可能に設けられる後側支持部材（後側支持部材５１３）と、
該後側支持部材に支持される部材であって、前記第１回動軸に沿った前記装飾部における一方側の端部において前記第１回動軸の軸方向と交差する他の方向に沿った第２回動軸を中心として、前記装飾部の表面とは逆側となる裏面側に配置された後側位置と、該後側位置に対して前記装飾部の少なくとも一部を該装飾部の表面側に突出させる前側位置との間を動作可能に設けられる前側動作部材（前面装飾部材５１１および前側支持部材５１２）と、
前記後側支持部材によって支持された前記前側動作部材を前記後側位置側へ付勢する付勢力を発生する付勢手段（弾性部材５３３）とを有していることを特徴とする遊技機。
【０２４７】
特徴Ｃ１記載の遊技機によれば、限られた領域において大きな動作が可能な装飾装置を備えた遊技機を提供することができる。すなわち、動作手段は、装飾部に対して前記前側とは逆側となる後側に設けられる第１回動軸を中心として回動するので、装飾部の前端部分を前側に突出させることなく、装飾部の向きを変化させることができる。
【０２４８】
また、第２位置となった状態においては、装飾部の少なくとも一部が後側位置から前側位置へ変位するので、装飾部が側方側を向いた状態にしてから装飾部の一部が表面側に突出することとなり、動作手段の動作を大きく設定しつつ、動作手段の動作に要する遊技者の視線に沿った前後幅は少なく抑えることができる。
【０２４９】
＜特徴Ｃ２＞
前記付勢手段は、前記装飾部の前記裏面側における前記第２回動軸側に配置され、
前記伝達部材と前記前側動作部材とを接続する前側接続部は、前記付勢手段に対して前記第２回動軸の軸方向に沿った位置に配置され、
前記付勢手段および前記前側接続部は、前記第１回動軸より前側にて前側接続部の方が付勢手段より近い位置に配置されていることを特徴とする特徴Ｃ１記載の遊技機。
【０２５０】
特徴Ｃ２記載の遊技機によれば、付勢手段および前側接続部は、装飾部の裏面側における第２回動軸側にて第２回動軸の軸方向に沿って配置されているので、少ない変位量で前側位置と後側位置との間を切り替え可能とし、また、付勢手段の設置スペースも少なく抑えることができる。また、第１回動軸より前側にて前側接続部の方が付勢手段より第１回動軸に近い位置に配置されるので、第１回動軸を中心とした回動動作も少ない前側接続部
の移動量で大きく動作させることができ、部品の設置スペースを小さくして、他の装飾部品を配置しやすいものとすることができる。
【０２５１】
＜特徴Ｃ３＞
前記回動駆動手段は、前記第１回動軸と略平行であって前記第１回動軸より前側に設けられ、前記動作手段を動作させるための回動力を出力する出力軸を有し、
前記伝達部材は、
前記回動駆動手段の出力軸に接続され、該接続部に対して前記回動駆動手段の出力軸から前記後側に離間した位置にて前記回動駆動手段の出力軸の回動に伴って回動する第１伝達部を有する第１伝達部材（出力軸部材５１７）と、
前記装飾部が前記第１位置に対して第２位置側へ向く方向側に沿って延びる向きに設けられ、前記第１伝達部に一端側が接続され、他端側が前記第１回動軸より前側にて前記前側動作部材と接続される第２伝達部材（伝達部材５１６）とを有していることを特徴とする特徴Ｃ１またはＣ２記載の遊技機。
【０２５２】
特徴Ｃ３記載の遊技機によれば、第１伝達部材および第２伝達部材による駆動力の伝達機構により、動作手段を動作させることができる。また、回動駆動手段の出力軸を第１回動軸と略平行で第１回動軸より前側に配置し、その出力軸に第１伝達部材が接続され、第２伝達部材も第１回動軸より前側にて前側動作部材と接続されるため、回動駆動手段および第１伝達部材を第１回動軸に対して前側に配置して装飾部の動作機構を構成する装置を小型に形成することができる。
【０２５３】
＜特徴Ｃ４＞
前記動作手段と、前記回動駆動手段と、前記伝達部材とを、前記第１回動軸が後側端部となるようにして一体化して支持する一体化支持手段（右側ベース部材５０１）と、
該一体化支持手段によって一体化された前記動作手段の後側に重なる後側重複位置と、該後側重複位置に対して、前記装飾部が前記第１位置に対して第２位置側へ向く方向側に沿って移動する後側移動位置との間を動作可能に設けられる後側動作部材（右側動作部材２３３）とを備えていることを特徴とする特徴Ｃ１からＣ３のいずれかに記載の遊技機。
【０２５４】
特徴Ｃ４に記載の遊技機によれば、一体化支持手段によって、動作手段と、前記回動駆動手段と、前記伝達部材とは、一体化して支持されるので、装飾部の動作機構を構成する装置の取付等の管理を容易にすることができる。また、第１回動軸が後側端部となるようにして動作手段等が一体化されて前後幅を短く構成できるので、その一体化されたユニットの後側に、後側動作部材の設置スペースを確保し易くすることができる。
【０２５５】
なお、特徴Ａ１〜Ａ５、特徴Ｂ１〜Ｂ５および特徴Ｃ１〜Ｃ４に記載のいずれか１つの特徴を他のいずれか又は複数の特徴に組み合わせて適用しても良い。以下には、上記した各特徴を適用し得る遊技機の基本構成を示す。
【０２５６】
パチンコ遊技機：遊技者が操作する操作手段と、その操作手段の操作に基づいて遊技球を発射する遊技球発射手段と、その発射された遊技球を所定の遊技領域に導く球通路と、遊技領域内に配置された各遊技部品とを備え、それら各遊技部品のうち所定の通過部を遊技球が通過した場合に遊技者に特典を付与する遊技機。
【０２５７】
スロットマシン等の回胴式遊技機：始動操作手段の操作に基づき周回体の回転を開始させ、停止操作手段の操作に基づき周回体の回転を停止させ、その停止後の絵柄に応じて遊技者に特典を付与する遊技機。
【産業上の利用可能性】
【０２５８】
以上のように、この発明は、パチンコ機やスロットマシン等の遊技機に適している。
【符号の説明】
【０２５９】
１０…スロットマシン、１１４…表示制御装置、１３１…窓パネル部、２３２…左側動作部材、２３３…右側動作部材、２３４…ガイド軸、２３７…プーリ付勢バネ、２４６…ガイド軸支部、２４７…ストッパ部、２５１…ベルト、２５２…出力用プーリ、２５３…支持用プーリ、２５４…中央駆動モータ、２５５…フォトセンサ、２８１…中央装飾部、３１２，３２２…ベルト取付部、４０３…上面発光部、４０４…装飾体発光部、４１１…前側カバー部材、４１３…区画部材、４１５…上側発光基板、４１６…下側発光基板、４４１，４４２…前面発光用ＬＥＤ、４４３…上面発光用ＬＥＤ、４４４…装飾体発光用ＬＥＤ、４６１…装飾体上部発光面、４６２…装飾体下部発光面、５０１…右側ベース部材，５１１…前面装飾部材、５１２…前側支持部材、５１３…後側支持部材、５１５…右側駆動モータ、５１５ａ…出力軸、５１６…伝達部材、５１７…出力軸部材、５３３…弾性部材
【図１】
2014050435.tif 000003
【図２】
2014050435.tif 000004
【図３】
2014050435.tif 000005
【図４】
2014050435.tif 000006
【図５】
2014050435.tif 000007
【図６】
2014050435.tif 000008
【図７】
2014050435.tif 000009
【図８】
2014050435.tif 000010
【図９】
2014050435.tif 000011
【図１０】
2014050435.tif 000012
【図１１】
2014050435.tif 000013
【図１２】
2014050435.tif 000014
【図１３】
2014050435.tif 000015
【図１４】
2014050435.tif 000016
【図１５】
2014050435.tif 000017
【図１６】
2014050435.tif 000018
【図１７】
2014050435.tif 000019
【図１８】
2014050435.tif 000020
【図１９】
2014050435.tif 000021
【図２０】
2014050435.tif 000022
【図２１】
2014050435.tif 000023